(57)【要約】  本発明の実施形態は、マルチキャリア通信システムに適用される識別子管理方法を提供する。マルチキャリア通信システムは第１キャリアと第２キャリアとを含み、第１端末が、第１キャリアが配置された第１ネットワーク装置を用いて無線ネットワークにアクセスし、無線ネットワーク一時識別子Ｃ−ＲＮＴＩを割り当てられ、該方法は、第２キャリアが配置された第２ネットワーク装置が、第１ネットワーク装置により送信された要求メッセージを受信することであって、要求メッセージは第１端末にＣ−ＲＮＴＩを割り当てるように第２ネットワーク装置に要求するために用いられる、ことと、Ｃ−ＲＮＴＩが第２ネットワーク装置により第２端末に割り当てられたとき、第２ネットワーク装置が、第２端末のＣ−ＲＮＴＩと同じＣ−ＲＮＴＩを、第１端末に割り当て、第２キャリア上で第１端末により使用される通信リソースと、第２キャリア上で第２端末により使用される通信リソースとをずらして配置することとを含む。前述の方法により、端末は、Ｃ−ＲＮＴＩを変更することなく、端末の通常通信を実施でき、サービス中断によるユーザ体験の悪化を回避できる。
2019522417.tif 000002
【特許請求の範囲】
【請求項１】
第１キャリアと第２キャリアとを有するマルチキャリア通信システムに適用される識別子管理方法であって、第１端末が、前記第１キャリアが配置された第１ネットワーク装置を用いて無線ネットワークにアクセスし、無線ネットワーク一時識別子Ｃ−ＲＮＴＩを割り当てられ、
前記方法は、
前記第２キャリアが配置された第２ネットワーク装置が、前記第１ネットワーク装置により送信された要求メッセージを受信することであって、前記要求メッセージは前記第２ネットワーク装置に前記Ｃ−ＲＮＴＩを前記第１端末に割り当てるよう要求するために使用される、ことと
前記Ｃ−ＲＮＴＩが前記第２ネットワーク装置により第２端末に割り当てられたとき、前記第２ネットワーク装置が、前記第２端末の前記Ｃ−ＲＮＴＩと同じ前記Ｃ−ＲＮＴＩを、前記第１端末に割り当て、前記第２キャリア上で前記第１端末により使用される通信リソースと、前記第２キャリア上で前記第２端末により使用される通信リソースとを交互に配置することとを含む、
方法。
【請求項２】
前記方法はさらに、
前記第２ネットワーク装置が、前記第１ネットワーク装置に第１通知メッセージを送信することであって、前記第１通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの制御チャネルで前記第１端末に、前記第１端末の、前記第２キャリアの制御情報を送信することを含む、ことを含む、
請求項１に記載の方法。
【請求項３】
前記第１端末の、前記第２キャリアの制御情報は、前記第１端末に前記第２キャリアのデータチャネルの位置を示す情報を含む、請求項２に記載の方法。
【請求項４】
前記第２ネットワーク装置が、前記第２キャリアで前記第１端末により使用される通信リソースと、前記第２キャリアで前記第２端末により使用される通信リソースとを交互に配置することは、
前記第２ネットワーク装置が、第１スケジューリング期間における前記第１端末をスケジューリングし、第２スケジューリング期間における前記第２端末をスケジューリングすることであって、前記第１スケジューリング期間は前記第２スケジューリング期間と異なる、ことを含む、
請求項１ないし３いずれか一項に記載の方法。
【請求項５】
前記方法は、
前記第２ネットワーク装置が、前記第２キャリアで前記第１端末により使用される通信リソースと、前記第２キャリアで前記第２端末により使用される通信リソースとを交互に配置することの後、
前記第２ネットワーク装置が、前記第１ネットワーク装置に第１指示メッセージを送信することであって、前記第１指示メッセージは、前記第１キャリアの制御チャネルで前記第１端末に、前記第１端末の、前記第２キャリアの制御情報を送信するように、前記第１ネットワーク装置に指示するために使用される、ことをさらに含む、
請求項４に記載の方法。
【請求項６】
前記第２ネットワーク装置が、前記第２キャリアで前記第１端末により使用される通信リソースと、前記第２キャリアで前記第２端末により使用される通信リソースとを交互に配置することは、
前記第２ネットワーク装置が、第１リソース領域を用いて前記第１端末にデータを送信し、第２リソース領域を用いて前記第２端末にデータを送信することであって、前記第１リソース領域は前記第２リソース領域と異なる、ことを含む、
請求項１ないし３いずれか一項に記載の方法。
【請求項７】
前記方法はさらに、
前記第２ネットワーク装置が、前記第１ネットワーク装置に第２指示メッセージを送信することであって、前記第２指示メッセージは、前記第１キャリアの制御チャネルで前記第１端末に、前記第１端末の、前記第２キャリアの制御情報を送信するように、前記第１ネットワーク装置に指示するために使用され、前記第１リソース領域を示す情報を含む、ことを含む、
請求項６に記載の方法。
【請求項８】
前記第１通知メッセージはさらに、前記第１端末と前記第２端末とにより使用される前記Ｃ−ＲＮＴＩを通知するために使用され、または
前記方法はさらに、
前記第２ネットワーク装置が、前記第１ネットワーク装置に第２通知メッセージを送信することであって、前記第２通知メッセージは、前記第１端末と前記第２端末とにより使用される前記Ｃ−ＲＮＴＩを通知するために使用される、ことを含む、
請求項２ないし７いずれか一項に記載の方法。
【請求項９】
第１キャリアと第２キャリアとを有するマルチキャリア通信システムに適用される識別子管理方法であって、第１端末が、前記第１キャリアが配置された第１ネットワーク装置を用いて無線ネットワークにアクセスし、無線ネットワーク一時識別子Ｃ−ＲＮＴＩを割り当てられ、
前記方法は、
第１ネットワーク装置が、第２キャリアが配置された第２ネットワーク装置に、要求メッセージを送信することであって、前記要求メッセージは前記第２ネットワーク装置に前記Ｃ−ＲＮＴＩを前記第１端末に割り当てるよう要求するために使用される、ことと
前記第１端末が前記第２キャリアで第２端末と同じ前記Ｃ−ＲＮＴＩを使用するとき、前記第１ネットワーク装置が、前記第２ネットワーク装置により送信された指示メッセージを受信することであって、前記指示メッセージは、前記第１キャリアの制御チャネルで前記第１端末に、前記第１端末の、前記第２キャリアの制御情報を送信するように、前記第１ネットワーク装置に指示するために使用され、前記第２キャリアで前記第１端末により使用される通信リソースと、前記第２キャリアで前記第２端末により使用される通信リソースは交互に配置される、こととを含む、
方法。
【請求項１０】
前記方法はさらに、
前記第１ネットワーク装置が、前記第２ネットワーク装置により送信された通知メッセージを受信することであって、前記通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの前記制御チャネルで前記第１端末に、前記第１端末の、前記第２キャリアの制御情報を送信することを含む、ことを含む、
請求項９に記載の方法。
【請求項１１】
前記第１端末の、前記第２キャリアの制御情報は、前記第１端末に前記第２キャリアのデータチャネルの位置を示す情報を含む、請求項１０に記載の方法。
【請求項１２】
前記第２キャリアで前記第１端末により使用される通信リソースと、前記第２キャリアで前記第２端末により使用される通信リソースとは交互に配置されることは、前記第１端末のスケジューリング期間が前記第２端末のスケジューリング期間と異なることを含む、請求項９ないし１１いずれか一項に記載の方法。
【請求項１３】
前記第２キャリアで前記第１端末により使用される通信リソースと、前記第２キャリアで前記第２端末により使用される通信リソースとは交互に配置されることは、前記第１端末により使用されるリソース領域が前記第２端末により使用されるリソース領域と異なることを含む、
請求項９ないし１１いずれか一項に記載の方法。
【請求項１４】
第１キャリアと第２キャリアとを有するマルチキャリア通信システムに適用される第２ネットワーク装置であって、前記第２ネットワーク装置は前記第２キャリアが配置されるネットワーク装置であり、第１端末が、前記第１キャリアが配置された第１ネットワーク装置を用いて無線ネットワークにアクセスし、無線ネットワーク一時識別子Ｃ−ＲＮＴＩを割り当てられ、
前記第２ネットワーク装置は、
前記第１ネットワーク装置により送信された要求メッセージを受信するように構成されるインターフェースユニットであって、前記要求メッセージは前記第２ネットワーク装置に前記Ｃ−ＲＮＴＩを前記第１端末に割り当てるよう要求するために使用される、インターフェースユニットと、
処理ユニットであって、前記Ｃ−ＲＮＴＩが前記第２ネットワーク装置により第２端末に割り当てられたとき、前記第２端末の前記Ｃ−ＲＮＴＩと同じ前記Ｃ−ＲＮＴＩを、前記第１端末に割り当て、前記第２キャリア上で前記第１端末により使用される通信リソースと、前記第２キャリア上で前記第２端末により使用される通信リソースとを交互に配置するように構成された、処理ユニットとを有する、
第２ネットワーク装置。
【請求項１５】
前記インターフェースユニットはさらに、前記第１ネットワーク装置に第１通知メッセージを送信するように構成され、前記第１通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの制御チャネルで前記第１端末に、前記第１端末の、前記第２キャリアの制御情報を送信することを含む、請求項１４に記載の第２ネットワーク装置。
【請求項１６】
前記第１端末の、前記第２キャリアの制御情報は、前記第１端末に前記第２キャリアのデータチャネルの位置を示す情報を含む、請求項１５に記載の第２ネットワーク装置。
【請求項１７】
処理ユニットが、前記第１端末に、前記第２端末の前記Ｃ−ＲＮＴＩと同じＣ−ＲＮＴＩを割り当て、前記第２キャリア上で前記第１端末により使用される通信リソースと、前記第２キャリア上で前記第２端末により使用される通信リソースとを交互に配置することは、第１スケジューリング期間における前記第１端末をスケジューリングし、第２スケジューリング期間における前記第２端末をスケジューリングすることであって、前記第１スケジューリング期間は前記第２スケジューリング期間と異なる、ことを含む、請求項１４ないし１６いずれか一項に記載の第２ネットワーク装置。
【請求項１８】
前記インターフェースユニットはさらに、前記処理ユニットが前記第２キャリア上で前記第１端末により使用される前記通信リソースと、前記第２キャリア上で前記第２端末により使用される前記通信リソースとを交互に配置した後、前記第１ネットワーク装置に第１指示メッセージを送信するように構成され、前記第１指示メッセージは、前記第１キャリアの制御チャネルで前記第１端末に、前記第１端末の、前記第２キャリアの制御情報を送信するように、前記第１ネットワーク装置に指示するために使用される、請求項１７に記載の第２ネットワーク装置。
【請求項１９】
処理ユニットが、前記第１端末に、前記第２端末の前記Ｃ−ＲＮＴＩと同じＣ−ＲＮＴＩを割り当て、前記第２キャリア上で前記第１端末により使用される通信リソースと、前記第２キャリア上で前記第２端末により使用される通信リソースとを交互に配置するように構成されることは、第１リソース領域を用いて前記第１端末にデータを送信し、第２リソース領域を用いて前記第２端末にデータを送信することであって、前記第１リソース領域は前記第２リソース領域と異なる、ことを含む、
請求項１４ないし１６いずれか一項に記載の第２ネットワーク装置。
【請求項２０】
前記インターフェースユニットはさらに、前記第１ネットワーク装置に第２指示メッセージを送信するように構成され、
前記第２指示メッセージは、前記第１キャリアの制御チャネルで前記第１端末に、前記第１端末の、前記第２キャリアの制御情報を送信するように、前記第１ネットワーク装置に指示するために使用され、前記第１リソース領域を示す情報を含む、
請求項１９に記載の第２ネットワーク装置。
【請求項２１】
前記第１通知メッセージはさらに、前記第１端末と前記第２端末とにより使用される前記Ｃ−ＲＮＴＩを通知するために使用され、または
前記インターフェースユニットはさらに、前記第１ネットワーク装置に第２通知メッセージを送信するように構成され、前記第２通知メッセージは、前記第１端末と前記第２端末とにより使用される前記Ｃ−ＲＮＴＩを通知するために使用される、
請求項１５ないし２０いずれか一項に記載の第２ネットワーク装置。
【請求項２２】
第１キャリアと第２キャリアとを有するマルチキャリア通信システムに適用される第１ネットワーク装置であって、第１端末は、前記第１キャリアが配置された前記第１ネットワーク装置を用いて無線ネットワークにアクセスし、
前記第１ネットワーク装置は、
前記第１端末に無線ネットワーク一時識別子Ｃ−ＲＮＴＩを割り当てるように構成された処理ユニットと、
前記第２キャリアが配置された第２ネットワーク装置に要求メッセージを送信するように構成され、
前記要求メッセージは前記第２ネットワーク装置に前記Ｃ−ＲＮＴＩを前記第１端末に割り当てるよう要求するために使用される、インターフェースユニットとを有し、
前記インターフェースユニットはさらに、前記第１端末が前記第２キャリアで第２端末と同じ前記Ｃ−ＲＮＴＩを使用するとき、前記第２ネットワーク装置により送信された指示メッセージを受信するように構成され、前記指示メッセージは、前記第１キャリアの制御チャネルで前記第１端末に、前記第１端末の、前記第２キャリアの制御情報を送信するように、前記第１ネットワーク装置に指示するために使用され、前記第２キャリアで前記第１端末により使用される通信リソースと、前記第２キャリアで前記第２端末により使用される通信リソースとは交互に配置される、
第１ネットワーク装置。
【請求項２３】
前記インターフェースユニットは、前記第２ネットワーク装置により送信された通知メッセージを受信するようにさらに構成され、前記通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの前記制御チャネルで前記第１端末に、前記第１端末の、前記第２キャリアの制御情報を送信することを含む、請求項２２に記載の第１ネットワーク装置。
【請求項２４】
前記第１端末の、前記第２キャリアの制御情報は、前記第１端末に前記第２キャリアのデータチャネルの位置を示す情報を含む、請求項２３に記載の第１ネットワーク装置。
【請求項２５】
前記第２キャリアで前記第１端末により使用される通信リソースと、前記第２キャリアで前記第２端末により使用される通信リソースとは交互に配置されることは、具体的に、前記第１端末のスケジューリング期間が前記第２端末のスケジューリング期間と異なることを含む、
請求項２２ないし２４いずれか一項に記載の第１ネットワーク装置。
【請求項２６】
前記第２キャリアで前記第１端末により使用される通信リソースと、前記第２キャリアで前記第２端末により使用される通信リソースとは交互に配置されることは、具体的に、前記第１端末により使用されるリソース領域が前記第２端末により使用されるリソース領域と異なることを含む、
請求項２２ないし２４いずれか一項に記載の第１ネットワーク装置。
【発明の詳細な説明】
【技術分野】
【０００１】
本発明は無線通信技術に関し、特に識別子に関する方法、装置およびシステムに関する。
【背景技術】
【０００２】
移動通信とブロードバンド無線アクセス技術との発展とともに、移動通信サービスとブロードバンド無線アクセスサービスは互いに浸透している。ブロードバンド移動通信への要求を満たし、ブロードバンド移動通信の問題を解決するため、移動通信システムにキャリアアグリゲーション（ｃａｒｒｉｅｒ  ａｇｇｒｅｇａｔｉｏｎ，ＣＡ）技術が導入された。
【０００３】
ＣＡ技術では、複数の連続な又は不連続なコンポーネントキャリア（ｃｏｍｐｏｎｅｎｔ  ｃａｒｒｉｅｒ，ＣＣ）を束ねることにより、より大きい帯域幅が得られ、それによりシステムデータ伝送レートとシステムスループットとを改善し、オペレータ周波数スペクトルの不連続性問題を解決する。
【０００４】
ＣＡ機能を有する端末の場合、束ねられる複数のＣＣは、プライマリセル（ｐｒｉｍａｒｙ  ｃｅｌｌ，Ｐｃｅｌｌ）に対応する１つのプライマリコンポーネントキャリア（ｐｒｉｍａｒｙ  ｃｏｍｐｏｎｅｎｔ  ｃａｒｒｉｅｒ，ＰＣＣ）と、セカンダリセル（ｓｅｃｏｎｄａｒｙ  ｃｅｌｌ，Ｓｃｅｌｌ）に対応する少なくとも１つのセカンダリコンポーネントキャリア（ｓｅｃｏｎｄａｒｙ  ｃｏｍｐｏｎｅｎｔ  ｃａｒｒｉｅｒ，ＳＣＣ）とを含む。束ねられた各ＣＣは、その端末によるデータ伝送に使用される。それゆえ、束ねられたＣＣ上で端末によって使用されるセル無線ネットワーク一時識別子（ｃｅｌｌ−ｒａｄｉｏ  ｎｅｔｗｏｒｋ  ｔｅｍｐｏｒａｒｙ  ｉｄｅｎｔｉｆｉｅｒ，Ｃ−ＲＮＴＩ）は同じである必要がある。
【０００５】
キャリアアグリゲーション中、端末がＰＣＣにアクセスするとき、ＰＣＣ上でＣ−ＲＮＴＩがその端末に割り当てられる。ＳＣＣが設定またはアクティブにされたとき、ＰＣＣ上の割り当てられたＣ−ＲＮＴＩがＳＣＣに通知され、そのＣ−ＲＮＴＩがＳＣＣ上でその端末に割り当てられる。しかし、そのＳＣＣは他の端末のサービングセルとして使用されている可能性があり、Ｃ−ＲＮＴＩは当該他の端末に割り当てられる可能性がある。具体的には、ＰＣＣ上で端末に割り当てられたＣ−ＲＮＴＩは、ＳＣＣ上で他の端末に既に割り当てられている。この場合、端末にＣ−ＲＮＴＩが再割り当てされなければならず、その端末のサービス中断が生じ、ユーザ体験が悪くなる。
【発明の概要】
【０００６】
本発明の実施形態は、ユーザ体験を改善する識別子管理方法を提供する。
【０００７】
一態様によると、本願の一実施形態は、マルチキャリア通信システムに適用可能な識別子管理方法を提供する。マルチキャリア通信システムは第１キャリアと第２キャリアとを含み、第１端末が、前記第１キャリアが配置された第１ネットワーク装置を用いて無線ネットワークにアクセスし、無線ネットワーク一時識別子Ｃ−ＲＮＴＩを割り当てられ、該方法は、前記第２キャリアが配置された第２ネットワーク装置が、前記第１ネットワーク装置により送信された要求メッセージを受信することであって、要求メッセージは第１端末にＣ−ＲＮＴＩを割り当てるように第２ネットワーク装置に要求するために用いられる、ことと、前記Ｃ−ＲＮＴＩが前記第２ネットワーク装置により第２端末に割り当てられたとき、前記第２ネットワーク装置が、前記第２端末の前記Ｃ−ＲＮＴＩと同じ前記Ｃ−ＲＮＴＩを、前記第１端末に割り当て、前記第２キャリア上で前記第１端末により使用される通信リソースと、前記第２キャリア上で前記第２端末により使用される通信リソースとを交互に配置することとを含む。
【０００８】
上記態様に基づき、本願はさらに次のあり得る設計を提供する：
【０００９】
あり得る設計では、第２ネットワーク装置が、第１ネットワーク装置に第１通知メッセージを送信し、第１通知メッセージは、第１端末のクロスキャリアスケジューリングを開始するように第１ネットワーク装置に指示するために使用され、クロスキャリアスケジューリングは：前記第１ネットワーク装置が、前記第１キャリアの制御チャネルで前記第１端末に、前記第１端末の、前記第２キャリアの制御情報を送信することを含む。このように、第１の端末と第２の端末は、異なるキャリアを使用することによってその制御情報を区別することができ、それによって互いの干渉を回避し、通信エラーを回避することができる。
【００１０】
上記設計において言及した第２のキャリア上の第１の端末の制御情報は、第１の端末を示す情報と、第２のキャリアのデータチャネルの位置とを含むことができる。
【００１１】
あり得る設計において、前記第２ネットワーク装置が、前記第２キャリアで前記第１端末により使用される通信リソースと、前記第２キャリアで前記第２端末により使用される通信リソースとを交互に配置することは、前記第２ネットワーク装置が、第１スケジューリング期間における前記第１端末をスケジューリングし、前記第２スケジューリング期間における前記第２端末をスケジューリングすることであって、第１スケジューリング期間は前記第２スケジューリング期間と異なる、ことを含み得る。
【００１２】
上記の設計に基づき、本方法はさらに：第２ネットワーク装置が、第１ネットワーク装置に、第１指示メッセージを送信することを含み、第１指示メッセージは、第１キャリアの制御チャネルで第１端末に、第１端末の、第２キャリアの制御情報を送信するように、第１ネットワーク装置に指示するために使用される。第１指示メッセージは、第２ネットワーク装置が、例えば、第１スケジューリング期間が設定された後にリアルタイムで送信される、第１端末のための第１スケジューリング期間を構成することに基づいて送信されてもよい。
【００１３】
あり得る設計において、前記第２ネットワーク装置が、前記第２キャリアで前記第１端末により使用される通信リソースと、前記第２キャリアで前記第２端末により使用される通信リソースとを交互に配置することは、第２ネットワーク装置が、第１リソース領域を用いて前記第１端末にデータを送信し、第２リソース領域を用いて前記第２端末にデータを送信することであって、前記第１リソース領域は前記第２リソース領域と異なる、ことを含む。第２ネットワーク装置は、周波数領域、時間領域、または周波数領域および時間領域に基づく分割により第１リソース領域および第２リソース領域を取得し、第１リソース領域および第２リソース領域を第１端末および第２端末に割り当てる。本明細書では、リソース領域は少なくとも１つの物理リソースブロックまたは物理リソースブロックペアを含んでもよい。
【００１４】
上記の設計に基づき、本方法はさらに：第２ネットワーク装置が、第１ネットワーク装置に第２指示メッセージを送信することを含み、第２指示メッセージは、第１キャリアの制御チャネル上で第１端末に、第１端末の、第２キャリアの制御情報を送信するように、第１ネットワーク装置に指示するために使用され、第１リソース領域を示す情報を含む。第１のリソース領域を示す情報は、第２のネットワーク装置による分割によりリソース領域を取得する具体的な方法に基づいて、周波数帯域情報、時間情報、又は周波数帯域情報及び時間情報を含むことができる。
【００１５】
あり得る設計では、上記の設計における前記第１通知メッセージはさらに、前記第１端末と前記第２端末とにより使用される前記Ｃ−ＲＮＴＩを通知するために使用される。
【００１６】
あり得る設計では、第２ネットワーク装置は、第１ネットワーク装置に第２通知メッセージを送信し、第２通知メッセージは、第１端末および第２端末によって使用される同じＣ−ＲＮＴＩを通知するために使用される。
【００１７】
あり得る設計では、第２ネットワーク装置は、第１通知メッセージまたは第２通知メッセージに、第２キャリア上に第１端末または第２端末により使用される通信リソースを交互に配置する具体的な方法を含め、その第１通知メッセージまたは第２通知メッセージを第１ネットワーク装置に送信する。利点は次の通りである：第１ネットワーク装置はできるだけ早く解決策を通知され、第１ネットワーク装置が第１キャリア上の後続のスケジューリング構成を調整することは有利である。
【００１８】
他の一態様によると、本願の一実施形態は、マルチキャリア通信システムに適用可能な他の識別子管理方法を提供する。マルチキャリア通信システムは第１キャリアと第２キャリアとを含み、第１端末が、前記第１キャリアが配置された第１ネットワーク装置を用いて無線ネットワークにアクセスし、無線ネットワーク一時識別子Ｃ−ＲＮＴＩを割り当てられ、該方法は、第１ネットワーク装置が、第２キャリアが配置された前記第２ネットワーク装置に要求メッセージを送信することであって、要求メッセージは第１端末にＣ−ＲＮＴＩを割り当てるように第２ネットワーク装置に要求するために用いられる、ことと、前記第１端末が前記第２キャリアで第２端末と同じ前記Ｃ−ＲＮＴＩを使用するとき、前記第１ネットワーク装置が、前記第２ネットワーク装置により送信された指示メッセージを受信することであって、前記指示メッセージは、前記第１キャリアの制御チャネルで前記第１端末に、前記第１端末の、前記第２キャリアの制御情報を送信するように、前記第１ネットワーク装置に指示するために使用され、前記第２キャリアで前記第１端末により使用される通信リソースと、前記第２キャリアで前記第２端末により使用される通信リソースは交互に配置される、ことを含む。
【００１９】
上記態様に基づき、本願はさらに次の設計を提供する：
【００２０】
あり得る設計では、第１ネットワーク装置が、第２ネットワーク装置により送信された第１通知メッセージを受信し、第１通知メッセージは、第１端末のクロスキャリアスケジューリングを開始するように第１ネットワーク装置に指示するために使用され、クロスキャリアスケジューリングは：前記第１ネットワーク装置が前記第１キャリアの前記制御チャネルで前記第１端末に、前記第１端末の、前記第２キャリアの制御情報を送信することを含む。このように、第１の端末と第２の端末は、異なるキャリアを使用することによってその制御情報を区別することができ、それによって互いの干渉を回避し、通信エラーを回避することができる。
【００２１】
上記設計において言及した第２のキャリア上の第１の端末の制御情報は、第１の端末を示す情報と、第２のキャリアのデータチャネルの位置とを含むことができる。
【００２２】
あり得る設計では、前記第２キャリアで前記第２端末により使用される通信リソースと、前記第２キャリアで前記第２端末により使用される通信リソースとは交互に配置されることは、前記第１端末のスケジューリング期間が前記第２端末のスケジューリング期間と異なることを含む。
【００２３】
あり得る設計では、前記第２キャリアで前記第２端末により使用される通信リソースと、前記第２キャリアで前記第２端末により使用される通信リソースとは交互に配置されることは、前記第１端末により使用されるリソース領域が前記第２端末により使用されるリソース領域と異なることを含む。周波数領域、時間領域、または周波数領域及び時間領域に基づき分割により、異なるリソース領域が得られる可能性がある。
【００２４】
あり得る設計では、上記の設計における前記通知メッセージはさらに、前記第１端末と前記第２端末とにより使用される前記Ｃ−ＲＮＴＩを通知するために使用される。
【００２５】
あり得る設計では、第１ネットワーク装置は、第２ネットワーク装置により送信された第２通知メッセージを送信し、第２通知メッセージは、第１端末および第２端末によって使用されるＣ−ＲＮＴＩを通知するために使用される。
【００２６】
他の一態様によると、本発明の一実施形態はネットワーク装置を提供する。ネットワーク装置は、上記の方法設計の第１ネットワーク装置または第２ネットワーク装置の動作を実施する機能を有する。これらの機能はハードウェアにより実装されてもよく、またはハードウェアにより対応するソフトウェアを実行することにより実施されてもよい。ハードウェアまたはソフトウェアは、前述の機能に対応する１つまたは複数のユニットを含む。
【００２７】
あり得る設計では、ネットワーク装置の構成は、プロセッサ、送信部、及びインターフェースユニットを含む。プロセッサは、ネットワーク装置による上記の方法において対応する機能の実行をサポートするように構成される。送信部はネットワーク装置と端末との間の通信をサポートするように構成される。インターフェース部は、他のネットワーク装置と通信するようにネットワーク装置に指示し、他のネットワーク装置に上記方法で使用されるメッセージまたは命令を送信するように構成される。本ネットワーク装置はさらにメモリを含んでもよい。メモリは、プロセッサと結合するように構成され、基地局が必要とするプログラム命令とデータを格納する。
【００２８】
さらに他の一態様によると、本発明の一実施形態は通信システムを提供する。本システムは上記の態様による第１ネットワーク装置と第２ネットワーク装置を含む。
【００２９】
さらに別の態様によれば、本発明の実施形態は、前述の第２ネットワーク装置によって使用されるコンピュータソフトウェア命令を格納するように構成され、前述の態様を実行するように設計されたプログラムを含むコンピュータ記憶媒体を提供する。
【００３０】
さらに別の態様によれば、本発明の実施形態は、前述の第１ネットワーク装置によって使用されるコンピュータソフトウェア命令を格納するように構成され、前述の態様を実行するように設計されたプログラムを含むコンピュータ記憶媒体を提供する。
【００３１】
さらに他の一態様によると、本発明の一実施形態は、少なくとも１つのプロセッサと、メモリと、入出力部と、バスとを含むチップシステムを提供する。少なくとも１つのプロセッサは、バスを使用してメモリ内の命令を取得し、前述の方法設計における第２ネットワーク装置の設計された機能を実施する。
【００３２】
さらに他の一態様によると、本発明の一実施形態はチップシステムを提供する。該チップシステムは：少なくとも１つのプロセッサと、メモリと、入出力部と、バスとを含む。少なくとも１つのプロセッサは、バスを使用してメモリ内の命令を取得し、前述の方法設計における第１ネットワーク装置の設計された機能を実施する。
【００３３】
本発明の実施形態で提供される技術的解決策では、ＰＣＣとしての第１キャリアが端末のＳＣＣとして第２キャリアと集約されるとき、端末に対応するＣ−ＲＮＴＩがすでに第２キャリア上で占有されている場合、ＳＣＣが配置されたネットワーク装置は、その端末と別の端末のＣ−ＲＮＴＩを多重化し、第２のキャリア上のその端末と他の端末の通信リソースを交互に配置する。先行技術とは異なり、本技術的解決策では、端末は、Ｃ−ＲＮＴＩを変更することなく、端末の通常通信を実施でき、サービス中断によるユーザ体験の悪化を回避できる。
【図面の簡単な説明】
【００３４】
本発明の実施形態または先行技術の技術的解決手段をより明確に説明するため、以下に実施形態または先行技術を説明するのに必要な添付図面を簡単に説明する。明らかに、以下に説明する添付図面は、本発明の単なる実施形態を示しており、本技術分野の当業者は、創作的努力をせずとも、これらの添付図面から他の図面を作成することもできるだろう。
【００３５】
【図１】本発明の一実施形態によるシステムアーキテクチャ図である。
【００３６】
【図２（ａ）】本発明の一実施形態によるキャリアアグリゲーションの一例を示す図である。
【００３７】
【図２（ｂ）】本発明の一実施形態によるキャリアアグリゲーションの他の一例を示す図である。
【００３８】
【図２（ｃ）】本発明の一実施形態によるキャリアアグリゲーションの他の一例を示す図である。
【００３９】
【図３】本発明の一実施形態によるＣ−ＲＮＴＩ衝突を示す概略図である。
【００４０】
【図４】本発明の一実施形態による識別子管理方法を示す概略的フローチャートである。
【００４１】
【図５】本発明の一実施形態によるクロスキャリアスケジューリングの基本原理を示す概略図である。
【００４２】
【図６】本発明の一実施形態によるネットワーク装置を示す概略構造図である。
【００４３】
【図７】本発明の一実施形態によるネットワーク装置を示す他の概略構造図である。
【発明を実施するための形態】
【００４４】
図１は、本発明の一実施形態によるシステムアーキテクチャ図である。図１に示すように、端末は、無線アクセスネットワーク（ｒａｄｉｏ  ａｃｃｅｓｓ  ｎｅｔｗｏｒｋ，ＲＡＮ）及びコアネットワーク（ｃｏｒｅ  ｎｅｔｗｏｒｋ，ＣＮ）を用いて外部ネットワーク（ｅｘｔｅｒｎａｌ  ｎｅｔｗｏｒｋ）にアクセスする。本発明で説明する技術は、様々な無線アクセス技術を使用して、例えば、符号分割多元接続、周波数分割多元接続、時分割多元接続、直交周波数分割多元接続、およびシングルキャリア周波数分割多元接続、および第５世代５Ｇシステムなどのその後の進化型システムを含むアクセス技術を使用するシステムを使用する、他の無線通信システムに適用可能である。
【００４５】
本出願では、「ネットワーク」及び「システム」という名詞は交換可能に用いられることが多いが、当業者はこれらの意味を理解できるだろう。説明を明確にするため、本明細書では、ロングタームエボリューション（ｌｏｎｇ  ｔｅｒｍ  ｅｖｏｌｕｔｉｏｎ，ＬＴＥ）システムは、説明のための一例として使用されている。ＬＴＥシステムでは、進化したＵＭＴＳ地上無線アクセス（ｅｖｏｌｖｅｄ  ｕｎｉｖｅｒｓａｌ  ｔｅｒｒｅｓｔｒｉａｌ  ｒａｄｉｏ  ａｃｃｅｓｓ，Ｅ−ＵＴＲＡ）ネットワークが無線アクセスネットワークとして使用され、進化したパケットコア（ｅｖｏｌｖｅｄ  ｐａｃｋｅｔ  ｃｏｒｅ，ＥＰＣ）がコアネットワークとして使用される。
【００４６】
本発明の実施形態では、ネットワーク装置は、無線アクセスネットワーク内に展開され、無線通信機能を端末に提供するように構成された装置であってもよい。ネットワーク装置は、マクロ基地局、マイクロ基地局、中継局、および様々な形態のアクセスポイントを含んでもよい。異なる無線アクセス技術を使用するシステムでは、基地局の機能を有する装置の名前が異なる場合がある。例えば、ＬＴＥシステムでは、装置は、進化型ＮｏｄｅＢ（ｅｖｏｌｖｅｄ  ＮｏｄｅＢ、ｅＮｏｄｅＢ）と呼ばれる。端末は、無線通信機能を有する様々なハンドヘルド装置、車載装置、ウェアラブル装置、計算装置、無線モデムに接続された他の処理装置、様々な形態の移動局（ｍｏｂｉｌｅ  ｓｔａｔｉｏｎ，ＭＳ）、ユーザ装置（ｕｓｅｒ  ｅｑｕｉｐｍｅｎｔ，ＵＥ）などを含んでもよい。
【００４７】
また、本出願における制御チャネルは、ＬＴＥシステムにおける物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）であってもよく、本出願におけるデータチャネルは、ＬＴＥシステムにおける物理ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ））または物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）であってもよい。
【００４８】
本発明の実施形態は、ＣＡ技術に適用可能である。図２（ａ）、図２（ｂ）および図２（ｃ）は、ＣＡの３つの例を示す。図２（ａ）に示すように、周波数帯域Ａでは、ＣＣ１及びＣＣ２としてそれぞれ周波数帯域１及び周波数帯域２が集約され、周波数帯域１及び周波数帯域２は連続である。図２（ｂ）に示すように、周波数帯域Ａでは、ＣＣ１及びＣＣ２としてそれぞれ周波数帯域１及び周波数帯域２が集約され、周波数帯域１及び周波数帯域２は不連続である。図２（ｃ）に示すように、周波数帯Ａの周波数帯域１がＣＣ２として、周波数帯域Ｂの周波数帯域２がＣＣ２として、それぞれ集約される。確かに、上記の例として、２つのＣＣのみの集約が使用されている。実際には、ＣＡは３つ以上のＣＣの集約も含まれ得る。詳細はここでは説明しない。
【００４９】
ＣＡ技術では、複数の集約ＣＣを同一のネットワーク装置を用いて管理してもよいし、異なるネットワーク装置を用いて別々に管理してもよい。具体的には、それぞれＣＣ１およびＣＣ２である２つのＣＣが存在すると仮定する。本発明の実施形態は、２つのＣＣ間の相互作用、ＣＣと端末との間の相互作用に関する。ＣＣの方法動作のための実行主体を、次の複数の場合で説明する：
【００５０】
ＣＣ１及びＣＣ２が異なるネットワーク装置によって管理される場合、ＣＣ１の方法動作は、ＣＣ１が配置されている第１のネットワーク装置によって実行されてもよく、ＣＣ２の方法動作は、ＣＣ２が配置されている第２のネットワーク装置によって実行されてもよい。ＣＣ１とＣＣ２とが同一のネットワーク装置によって管理されている場合、ＣＣ１の方法動作は、ネットワーク装置に含まれ、ＣＣ１を管理するベースバンド処理ボードによって実行されてもよいし、ＣＣ２の方法動作は、ネットワーク装置に含まれ、ＣＣ２を管理するベースバンド処理ボードによって実行されてもよい。ＣＣ１とＣＣ２が同じネットワーク装置に含まれる同じベースバンド処理ボードによって管理される場合、ＣＣ１の方法動作は、ＣＣ１を制御するプロセッサによって実行されてもよく、ＣＣ２の方法動作は、ＣＣ２を制御するプロセッサによって実行されてもよい。留意点として、本発明の実施形態では、上記の場合のいずれか１つにかかわらず、ＣＣ１の方法は、ＣＣ１が配置された第１ネットワーク装置によって実行され、ＣＣ２の方法は、ＣＣ２が配置された第２のネットワーク装置によって実行されると考えられてもよい。同じネットワーク装置が管理を行う場合、第１ネットワーク装置と第２ネットワーク装置は同じネットワーク装置である。
【００５１】
Ｃ−ＲＮＴＩは、メディアアクセス制御（ｍｅｄｉａ  ａｃｃｅｓｓ  ｃｏｎｔｒｏｌ，ＭＡＣ）パケットデータユニット（ｐａｃｋｅｔ  ｄａｔａ  ｕｎｉｔ，ＰＤＵ）のヘッダに付加される識別子であり、無線リソース制御（ｒａｄｉｏ  ｒｅｓｏｕｒｃｅ  ｃｏｎｔｒｏｌ，ＲＲＣ）の識別及びスケジューリングに使用される。現在、Ｃ−ＲＮＴＩの長さは１６ビットであり、Ｃ−ＲＮＴＩの値の範囲は０〜６５５３５である。
【００５２】
ＣＡシナリオでは、ＰＣＣとＳＣＣの両方が同じ端末によるデータ送信に使用され、端末によって使用されるＣ−ＲＮＴＩは同じである必要がある。端末のＣ−ＲＮＴＩは、端末がＰＣＣにアクセスするときに、ＰＣＣが配置されているネットワーク装置によって、端末に割り当てられる。図３に示すように、ＰＣＣとしてのＣＣ１は、端末１のＳＣＣとしてＣＣ２として集約される。ＣＣ２が起動されると、端末１に対して、ＣＣ１に割り当てられたＣ−ＲＮＴＩ１を、ＣＣ２で使用する必要があるが、Ｃ−ＲＮＴＩ１はＣＣ２上の端末２に既に割り当てられている可能性がある。したがって、２つの端末間でＣ−ＲＮＴＩ競合が発生する。この場合、Ｃ−ＲＮＴＩが端末１または端末２に再割り当てされなければならず、その端末のサービス中断が生じ、ユーザ体験が悪くなる。
【００５３】
例えば、Ｃ−ＲＮＴＩ競合が発生した後、従来技術では、セルのハンドオーバにより、端末１または端末２に対して新しいＣ−ＲＮＴＩが変更される。しかしながら、このようにして、端末１または端末２の現在のサービスの中断が引き起こされ、ユーザ経験が悪くなる。
【００５４】
上述の問題を考慮して、Ｃ−ＲＮＴＩ競合が発生すると、本出願の実施形態では、新しいＣ−ＲＮＴＩを端末に再割り当てする代わりに、Ｃ−ＲＮＴＩが２つの端末によって多重化され、Ｃ−ＲＮＴＩが多重化されているＣＣでは、２つの端末によるデータ送信は、交互に配置されたリソースによって保証される。
【００５５】
以下に、添付図面を参照して、本願の実施形態を詳細に説明する。
【００５６】
図４は、マルチキャリア通信システムに適用される識別子管理方法を示す概略フローチャートである。通信システムはＣＣ１とＣＣ２を含み、端末１は、ＣＣ１が配置され、Ｃ−ＲＮＴＩが割り当てられた第１ネットワーク装置を使用して無線ネットワークにアクセスする。
【００５７】
この方法は、図１に示すシステムアーキテクチャと、図２（ａ）、図２（ｂ）および図２（ｃ）に示すＣＡ技術と、図３に示す適用シナリオとに適用可能である。この方法は次のステップを含む：
【００５８】
４０１：第１ネットワーク装置は、ＣＣ２が配置された第２ネットワーク装置に要求メッセージを送信する。要求メッセージは、Ｃ−ＲＮＴＩを、すなわち、ＣＣ１において第１ネットワーク装置によって端末に割り当てられたＣ−ＲＮＴＩを第１ネットワーク装置に割り当てるように第２ネットワーク装置に要求するために使用される。
【００５９】
４０２：第２のネットワーク装置によってＣ−ＲＮＴＩが端末２に割り当てられると、第２のネットワーク装置は、端末２のＣ−ＲＮＴＩと同じＣ−ＲＮＴＩを端末１に割り当て、ＣＣ２において端末１によって使用される通信リソースと、ＣＣ２において端末２によって使用される通信リソースとを交互に配置する。
【００６０】
本発明のこの実施形態では、端末１が第１ネットワーク装置を用いてＲＡＮにアクセスするとき、第１ネットワーク装置は、Ｃ−ＲＮＴＩを端末１に割り当てる。端末１のＰＣＣとしてのＣＣ１は、端末１に対し、端末１のＳＣＣとしてのＣＣ２と集約される。したがって、ステップ４０１がトリガされる。ステップ４０１において、Ｃ−ＲＮＴＩを端末１に割り当てるように第２ネットワーク装置に要求するために、Ｃ−ＲＮＴＩが要求メッセージで運ばれてもよい。要求メッセージは、例えば、既存のＣＣ１とＣＣ２との間で交換されるメッセージであってもよく、例えば、ＳＣＣ上のＰＣＣにリソースを要求するメッセージ、例えば、ＳＣＣにおけるユーザ機器のリソースアプリケーションメッセージであってもよい。さらに、要求メッセージは、新たに追加されたメッセージであってもよく、Ｃ−ＲＮＴＩのみを含んでもよく、別の情報要素を含んでいてもよい。
【００６１】
第２ネットワーク装置は第１ネットワーク装置により送信された要求メッセージを受信する。第２ネットワーク装置は要求メッセージを解析して、その要求メッセージ中のＣ−ＲＮＴＩを取得してもよい。第２ネットワーク装置は、Ｃ−ＲＮＴＩが第２ネットワーク装置によりすでに端末２に割り当てられていることを発見した場合、端末１と端末２のＣ−ＲＮＴＩを多重してもよい。具体的に言うと、端末１または端末２のＣ−ＲＮＴＩが変更される先行技術とは異なり、Ｃ−ＲＮＴＩは依然として端末１に割り当てられ、端末１と端末２とがＣＣ２において同じＣ−ＲＮＴＩを使用する。
【００６２】
後続のデータ伝送においてエラーや衝突を避けるため、第２ネットワーク装置は、ＣＣ２において端末１により使用される通信リソースと、ＣＣ２において端末２により使用される通信リソースとを交互に配置する。本明細書では、通信リソースとは、時間リソース、周波数リソース、空間リソースなどであり得る。また、通信リソースは幾つかのリソースの組み合わせであってもよく、例えば時間・周波数リソースであってもよい。本明細書において、リソースは時間領域において交互に配置されてもよく、及び／又は周波数領域において交互に配置されてもよく、及び／又は空間的に交互に配置されてもよい。本願ではこの点は限定しない。
【００６３】
実装では、リソースは時間領域で交互に配置することができる。例えば、第２ネットワーク装置は、端末１と端末２を異なるスケジューリング期間にスケジューリングする。具体的には、第２ネットワーク装置は、端末１を第１スケジューリング期間でスケジューリングし、端末２を第２スケジューリング期間でスケジューリングする。第１スケジューリング期間は第２スケジューリング期間とは異なる。具体的には、第２ネットワーク装置は、同じＣ−ＲＮＴＩを使用する端末１と端末２のスケジューリング期間を、異なるスケジューリング期間を使用して、交互に配置する。端末１および端末２は、異なる時間にＣＣ２上のリソースを使用することができる。この実施形態では、従来技術と比較して、端末１または端末２のＣ−ＲＮＴＩを変更する必要がないので、サービス中断の問題が解決される。また、リソースを適切に使用することができる。
【００６４】
他の実施形態では、第２ネットワーク装置は、第１リソース領域を用いて第１端末にデータを送信し、第２リソース領域を用いて第２端末にデータを送信する。第１リソース領域は第２リソース領域とは異なる。具体的には、第２ネットワーク装置は、ＣＣ２から異なるリソース領域を選択し、端末１と端末２が異なるリソース領域を使用するようにする。このようにして、端末１と端末２との間の通信中に、リソース競合が回避される。従来技術と比較して、端末１または端末２のＣ−ＲＮＴＩを変更する必要がないので、サービス中断の問題が解決される。また、リソースを適切に使用することができる。ここで、リソース領域は少なくとも１つの物理リソースブロックまたは物理リソースブロックペアを含み、第１リソース領域および第２リソース領域は異なる物理リソースブロックまたは物理リソースブロックペアを含む。
【００６５】
さらに、例えば、同じスケジューリング期間において、第２のネットワーク装置は、周波数領域に基づいて、時間領域に基づいて、または周波数領域および時間領域に基づいて、ＣＣ２に対応するリソースを複数のリソース領域に分割してもよい。実施形態では、第２装置が、ＣＣ２に対応するリソースを周波数領域に基づいて複数のリソース領域に分割する場合、複数のリソース領域は第１周波数帯域に対応する第１リソース領域を含み、第１リソース領域は端末１に割り当てられる。実際には３つ以上の端末がＣＣ２上で同一のＣ−ＲＮＴＩを使用することができる。したがって、リソースが周波数領域で分割されるリソース領域の大きさは、端末の数量に基づいて決定することができる。具体的には、Ｎ個の端末がＣＣ２上で同じＣ−ＲＮＴＩを使用する場合、そのリソースはＮ個のリソース領域に分割される。
【００６６】
Ｃ−ＲＮＴＩは、制御チャネルを、例えばＰＤＣＣＨをスクランブルするために使用され、端末は、Ｃ−ＲＮＴＩに基づいて、ＰＤＣＣＨ上の制御情報を端末に送信することを決定する。端末１と端末２が同じＣ−ＲＮＴＩを使用する場合、制御チャネルの混乱が生じる可能性がある。したがって、好ましい実施形態では、第２ネットワーク装置は、第１ネットワーク装置に、端末１のクロスキャリアスケジューリングを開始するように指示する。具体的には、ＣＣ２上の端末１の制御情報は、ＣＣ１上の制御チャネルで送信される。例えば、ＰＤＣＣＨ上で送られる制御情報は、ＰＤＳＣＨ上のリソースの位置を示すために使用される。ＣＣ２上のＰＤＳＣＨまたはＰＵＳＣＨのリソースの位置は、ＣＣ１上のＰＤＣＣＨで送られる制御情報を用いて端末１に示され、ＣＣ２上のＰＤＳＣＨまたはＰＵＳＣＨのリソースの位置は、ＣＣ２上のＰＤＣＣＨで送られる制御情報を用いて端末２に示される。このようにして、端末１と端末２は、キャリアを用いて制御情報を区別することができる。
【００６７】
図５を参照し、図５はＬＴＥシステムにおけるクロスキャリアスケジューリングの基本原理を示す。ＰＣＣ上のＰＤＳＣＨ上のリソースの位置、ＰＣＣ上のＰＵＳＣＨ上のリソースの位置、ＳＣＣ上のＰＤＳＣＨ上のリソースの位置およびＳＣＣ上のＰＵＳＣＨ上のリソースの位置は、ＰＣＣ上のＰＤＣＣＨを用いて示される。
【００６８】
したがって、本発明のこの実施形態の方法はさらに、第２ネットワーク装置が、第１ネットワーク装置に第１通知メッセージを送信することとを含み、第１通知メッセージは、端末１のクロスキャリアスケジューリングを開始するように第１ネットワーク装置に指示するために使用される。クロスキャリアスケジューリングは、第１ネットワーク装置が、ＣＣ２上の端末１の制御情報を、ＣＣ１上の制御チャネル上の端末１に送信することを含む。また、ここで、端末１のクロスキャリアスケジューリングを開始することは、第１ネットワーク装置が、端末１に関するクロスキャリアスケジューリングを実施することができることを意味し、これはイネーブルの意味である。
【００６９】
ＣＣ２上の端末１の制御情報は、ＣＣ２上の端末１のデータチャネルの位置を示す情報、例えば、ＣＣ２上の端末１のＰＤＳＣＨ上のリソースの位置を示す情報を含む。
【００７０】
任意的に、ステップ４０２において、第２ネットワーク装置が異なるスケジューリング期間を使用してＣＣ２上の端末１および端末２の通信リソースを交互に配置する場合、本発明のこの実施形態の方法は、第２ネットワーク装置が、第１ネットワーク装置に、第１指示メッセージを送信することを含み、第１指示メッセージは、ＣＣ１上の制御チャネルで端末１にＣＣ２上の端末１の制御情報を送信するように、第１ネットワーク装置に指示するために使用される。具体的には、第２ネットワーク装置は、第１ネットワーク装置に対して、ＣＣ１上の制御チャネルを使用して、第１期間にＣＣ２上で送信を行うように端末１にスケジュールするよう指示する。第１の指示メッセージは、リアルタイムで送信することができる：第２ネットワーク装置が第１スケジューリング期間を端末１に割り当てるとき、第１指示メッセージの送信がトリガされる。送信には、端末１によるダウンリンクデータ受信およびアップリンクデータ送信が含まれる。例えば、具体的なデータ送信手順は次の通りであり得る：
【００７１】
第２装置は、第１装置から受信したデータを、ＣＣ２上のデータチャネルを使用して端末１に送信する；または第２装置は、ＣＣ２上のデータチャネルを使用して、端末１によって送信されたデータを受信する。ＣＣ２上のデータ送信および端末１によって実行されるデータ送信の両方は、第１スケジューリング期間に生じる。
【００７２】
ステップ４０２において、第２ネットワーク装置が異なるリソース領域を使用してＣＣ２上の端末１および端末２の通信リソースを交互に配置する場合、本発明のこの実施形態の方法は、第２ネットワーク装置が、第１ネットワーク装置に、第２指示メッセージを送信することを含み、第２指示メッセージは、ＣＣ１上の制御チャネルで端末１にＣＣ２上の端末１の制御情報を送信するように、第１ネットワーク装置に指示するために使用され、第１リソース領域を示す情報を含む。実施形態では、第２装置が、ＣＣ２に対応するリソースを周波数領域に基づいて複数のリソース領域に分割する場合、複数のリソース領域は第１周波数帯域に対応する第１リソース領域を含むとき、第１リソース領域を示す情報は第１周波数帯域を示す情報であってもよい。
【００７３】
具体的には、第２ネットワーク装置は、第１ネットワーク装置に対して、ＣＣ１上の制御チャネルを使用して、ＣＣ２上の第１リソース領域で送信を行うように端末１にスケジュールするよう要求する。送信には、端末１によるダウンリンクデータ受信およびアップリンクデータ送信が含まれる。例えば、具体的なデータ送信手順は次の通りであり得る：
【００７４】
第２装置は、第１装置から受信したデータを、ＣＣ２上のデータチャネルを使用して端末１に送信する；または第２装置は、ＣＣ２上のデータチャネルを使用して、端末１によって送信されたデータを受信する。端末１について、ＣＣ２上のデータチャネルは第１リソース領域に配置される。
【００７５】
第１ネットワーク装置は第１指示メッセージまたは第２指示メッセージを受信する。
【００７６】
この方法では、第１ネットワーク装置は、端末１がＣＣ２上でスケジュールされ得る期間を知り、または実際に使用されているリソース領域を知り、制御情報を端末１に送信し、端末１は、対応するスケジューリング期間または対応するリソース領域においてＣＣ２上でデータ伝送を実施する。
【００７７】
一実装形態では、第１通知メッセージを使用して、第１ネットワーク装置に、ＣＣ２上で端末１および端末２によって使用される同じＣ−ＲＮＴＩ、またはＣＣ２上で端末１および端末２の間のＣ−ＲＮＴＩ競合を通知することができる。確かに、第２ネットワーク装置は、第２通知メッセージを第１ネットワーク装置に送信して、前述の機能を実施することもできる。確かに、第２ネットワーク装置は、第１通知メッセージまたは第２通知メッセージを使用して、第１のネットワーク装置に、端末１および端末２によってＣＣ２上で使用される通信リソースを交互に配置する具体的な方法を提供することができる。利点は次の通りである：第１ネットワーク装置はできるだけ早く競合の解決を通知され、第１ネットワーク装置がＣＣ１上の後続のスケジューリング構成を調整することは有利である。
【００７８】
本発明のこの実施形態で提供される技術的解決策では、ＰＣＣとしてのＣＣ１が端末のためのＳＣＣとしてＣＣ２に集約されるとき、その端末に対応するＣ−ＲＮＴＩが既にＣＣ２上で占有されている場合、Ｃ−ＲＮＴＩは、その端末とＳＣＣ上の他の端末とにより多重化され、その端末とＣＣ２上の他の端末との通信リソースは交互に配置される。従来技術とは異なり、本技術的解決策では、Ｃ−ＲＮＴＩは端末のために変更される必要がなく、それによりサービスの中断によるユーザ体験の悪化を回避する。
【００７９】
本発明の実施形態で提供される解決策を、主に、様々なネットワーク装置間の相互作用と、ネットワーク装置と端末との間の相互作用の観点から説明した。言うまでもなく、前述の機能を実施するために、ネットワーク装置、端末などは、機能を実行するための対応するハードウェア構造および／またはソフトウェアモジュールを含む。本技術分野の当業者には言うまでもなく、本明細書に開示した実施形態で説明したユニット及びアルゴリズムステップの例と組み合わせて、本発明は、ハードウェア形式や、ハードウェアとコンピュータソフトウェアとの組み合わせの形式により実施できる。機能がハードウェアで実行されるか、ハードウェアを駆動するコンピュータソフトウェアで実行されるかは、具体的なアプリケーションと、技術的解決策のデザイン制約条件とに依存する。本技術分野の当業者は、異なる方法を用いて、具体的な各アプリケーションの説明した機能を実施するかも知れないが、その実施が本発明の範囲を超えていると考えてはならない。
【００８０】
図６は、前述の実施形態のネットワーク装置を示す概略構造図である。
【００８１】
ネットワーク装置は、送受信部６０１と、コントローラ／プロセッサ６０２と、メモリ６０３と、通信部６０４とを含む。送受信部６０１は、ネットワーク装置と端末との間の情報の送受信をサポートし、端末と他の端末との間の無線通信をサポートする。コントローラ／プロセッサ６０２は、他のネットワーク装置や端末との通信に用いられる各種機能を実行する。アップリンクでは、端末からのアップリンク信号は、アンテナを用いて受信され、受信部６０１によって調整され、さらにコントローラ／プロセッサ６０２によって処理され、端末によって送信されたサービスデータおよびシグナリング情報を復元する。ダウンリンクでは、サービスデータ及びシグナリングメッセージは、コントローラ／プロセッサ６０２によって処理され、送信部６０１によって調整されてダウンリンク信号を生成し、ダウンリンク信号はアンテナを使用して端末に送信される。コントローラ／プロセッサ６０２はさらに、図４に対応する方法の実施形態の第１ネットワーク装置または第２ネットワーク装置の処理プロセス、および／または本出願に記載の技術のために使用される別のプロセスを実行する。メモリ６０３は、ネットワーク装置のプログラムコードおよびデータを格納するように構成されている。インターフェース部６０４は、ネットワーク装置と他のネットワーク装置との間の通信をサポートするように構成されており、例えば、Ｘ２インターフェースやＳ１インターフェースを用いて通信を実施することができる。
【００８２】
言うまでもなく、図６は、単にネットワーク装置の単純化された設計を示している。実際のアプリケーションでは、ネットワーク装置は、任意の数の送信部、受信部、プロセッサ、コントローラ、メモリ、インターフェースユニットなどを含むことができ、本発明を実施することができるネットワーク装置は、すべて本発明の保護範囲内にある。
【００８３】
図７は、本発明の一実施形態で提供されるネットワーク装置７００を示す。ネットワーク装置７００は、処理ユニット７１０およびインターフェースユニット７２０を含むことができる。処理ユニット７１０は、図６の第１のネットワーク装置または第２のネットワーク装置のコントローラ／プロセッサ６０２の機能を実装することができ、インターフェース部７２０は、図６のネットワーク装置のインターフェース部６０４の機能を実現することができる。
【００８４】
当業者には言うまでもなく、本発明の実施形態に列挙された様々な例示的な論理ブロック（ｉｌｌｕｓｔｒａｔｉｖｅ  ｌｏｇｉｃａｌ  ｂｌｏｃｋ）およびステップ（ｓｔｅｐ）は、電子的ハードウェア、コンピュータソフトウェア、またはこれらの組み合わせにより実施することができる。ハードウェアとソフトウェアとの間の互換性（ｉｎｔｅｒｃｈａｎｇｅａｂｉｌｉｔｙ）を明確に示すために、前述の様々な例示的な構成要素（ｉｌｌｕｓｔｒａｔｉｖｅ  ｃｏｍｐｏｎｅｎｔｓ）の機能およびステップを一般的に説明した。機能がハードウェアまたはソフトウェアを使用して実装するかどうかは、具体的なアプリケーションおよびシステム全体の設計要件に依存する。具体的な用途ごとに、当業者は、様々な方法を使用して機能を実施することができる。しかしながら、この実装形態は、本発明の実施形態の保護範囲を超えていると理解されるべきではない。
【００８５】
本発明の実施形態で説明された様々な例示的な論理ブロック、モジュール、および回路は、汎用処理ユニット、デジタル信号処理ユニット、特定用途集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウェア構成要素、またはそれらの任意の組合せの設計を使用して、説明した機能を実施または作動することができる。汎用処理ユニットは、マイクロ処理ユニットであってもよい。任意的に、汎用処理ユニットは、任意の従来の処理ユニット、コントローラ、マイクロコントローラ、または状態機械であってもよい。処理ユニットは、デジタル信号処理ユニットおよびマイクロ処理ユニットなどの計算装置の組み合わせ、複数のマイクロ処理ユニット、デジタル信号処理ユニットコアを有する１つまたは複数のマイクロ処理ユニット、または任意の他の同様の構成により実施することもできる。
【００８６】
本発明の実施形態に記載された方法またはアルゴリズムのステップは、ハードウェア、処理ユニットによって実行されるソフトウェアモジュール、またはそれらの組み合わせに直接組み込まれてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、またはその他任意の形式の記憶媒体に格納することができる。例えば、記憶媒体は処理ユニットに接続され、処理ユニットが記憶媒体から情報を読み取り、記憶媒体に情報を書き込むことができるようにされてもよい。任意的に、記憶媒体はさらに処理ユニットと一体化されてもよい。処理ユニットおよび記憶媒体は、ＡＳＩＣ内に構成されてもよく、ＡＳＩＣは、ユーザ端末内に構成されてもよい。任意的に、処理ユニットおよび記憶媒体は、ユーザ端末の異なる構成要素内に構成されてもよい。
【００８７】
一以上の設計例において、本発明の実施形態で説明した機能は、ハードウェア、ソフトウェア、ファームウェアまたはこれらの任意の組み合わせを使用して実施することができる。本発明がソフトウェアによって実施される場合、これらの機能は、コンピュータ可読媒体に格納されてもよく、または１つまたは複数の命令またはコードの形式でコンピュータ可読媒体に送信されてもよい。コンピュータ可読媒体は、コンピュータ記憶媒体であるか、又はコンピュータプログラムをある場所から別の場所に移動できるようにする通信媒体である。記憶媒体は、任意の汎用または特殊用途コンピュータによりアクセスされ得る利用可能媒体であってもよい。例えば、そのようなコンピュータ可読媒体は、ＲＡＭ、ＲＯＭ、ＥＥＰＲＯＭ、ＣＤ−ＲＯＭ、または他の光ディスク記憶装置、ディスク記憶装置または他の磁気記憶装置、またはプログラムコードを保持または格納するために使用される他の任意の媒体を含むが、これらに限定されない。プログラムコードは、命令またはデータ構造の形態であるか、あるいは汎用または特殊用途コンピュータまたは汎用または特殊用途処理ユニットによって読み取られることができる形式のものである。さらに、任意の接続は、コンピュータ可読媒体として適切に画定することができる。例えば、同軸ケーブル、光ファイバコンピュータ、ツイストペア、デジタル加入者回線（ＤＳＬ）、または赤外線、無線またはマイクロ波などの無線方式を使用して、ウェブサイト、サーバ、または別のリモートリソースからソフトウェアを送信する場合、ソフトウェアは画定されたコンピュータ可読媒体に含まれる。ディスク（ｄｉｓｋ）およびディスク（ｄｉｓｃ）には、圧縮ディスク、レーザーディスク、光ディスク、ＤＶＤ、フロッピーディスク（登録商標）、およびブルーレイディスクが含まれる。ディスクは一般的には磁気的手段によってデータをコピーし、ディスクは一般的にレーザ手段によって光学的にデータをコピーする。また、上記の組み合わせは、コンピュータ可読媒体に含まれてもよい。
【００８８】
本発明における本明細書の前述の説明によれば、当技術分野の技術は、本発明の内容を使用または実施することができる。開示された内容に基づくいかなる変更も当業者には明らかであると考えられる。本発明に記載の基本原理は、本発明の本質及び範囲から逸脱することなく、他の変形例に適用することができる。したがって、本発明に開示された内容は、記載された実施形態および設計に限定されるものではなく、本発明の原理および開示された新規な特徴と一致する最大限の範囲に拡張され得る。
【図１】
2019522417.tif 000003
【図２（ａ）】
2019522417.tif 000004
【図２（ｂ）】
2019522417.tif 000005
【図２（ｃ）】
2019522417.tif 000006
【図３】
2019522417.tif 000007
【図４】
2019522417.tif 000008
【図５】
2019522417.tif 000009
【図６】
2019522417.tif 000010
【図７】
2019522417.tif 000011
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
第１キャリアと第２キャリアとを有するマルチキャリア通信システムに適用される識別子管理方法であって、第１端末が、前記第１キャリアが配置された第１ネットワーク装置を用いて無線ネットワークにアクセスし、無線ネットワーク一時識別子（Ｃ−ＲＮＴＩ）を割り当てられ、
前記方法は、
前記第２キャリアが配置された第２ネットワーク装置が、前記第１ネットワーク装置により送信された要求メッセージを受信することであって、前記要求メッセージは前記第２ネットワーク装置に前記Ｃ−ＲＮＴＩを前記第１端末に割り当てるよう要求するために使用される、ことと
前記Ｃ−ＲＮＴＩが前記第２ネットワーク装置により第２端末に割り当てられたとき、前記第２ネットワーク装置が、前記第２端末の前記Ｃ−ＲＮＴＩと同じ前記Ｃ−ＲＮＴＩを、前記第１端末に割り当て、前記第２キャリア上で前記第１端末により使用される通信リソースと、前記第２キャリア上で前記第２端末により使用される通信リソースとを交互に配置することとを含む、
方法。
【請求項２】
前記方法はさらに、
前記第２ネットワーク装置が、前記第１ネットワーク装置に第１通知メッセージを送信することであって、前記第１通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの制御チャネルで前記第１端末に、前記第１端末の、前記第２キャリアの制御情報を送信することを含む、ことを含む、
請求項１に記載の方法。
【請求項３】
前記第１端末の、前記第２キャリアの制御情報は、前記第１端末に前記第２キャリアのデータチャネルの位置を示す情報を含む、請求項２に記載の方法。
【請求項４】
前記第２ネットワーク装置が、前記第２キャリアで前記第１端末により使用される通信リソースと、前記第２キャリアで前記第２端末により使用される通信リソースとを交互に配置することは、
前記第２ネットワーク装置が、第１スケジューリング期間における前記第１端末をスケジューリングし、第２スケジューリング期間における前記第２端末をスケジューリングすることであって、前記第１スケジューリング期間は前記第２スケジューリング期間と異なる、ことを含む、
請求項１ないし３いずれか一項に記載の方法。
【請求項５】
前記方法は、
前記第２ネットワーク装置が、前記第２キャリアで前記第１端末により使用される通信リソースと、前記第２キャリアで前記第２端末により使用される通信リソースとを交互に配置することの後、
前記第２ネットワーク装置が、前記第１ネットワーク装置に第１指示メッセージを送信することであって、前記第１指示メッセージは、前記第１キャリアの制御チャネルで前記第１端末に、前記第１端末の、前記第２キャリアの制御情報を送信するように、前記第１ネットワーク装置に指示するために使用される、ことをさらに含む、
請求項４に記載の方法。
【請求項６】
前記第２ネットワーク装置が、前記第２キャリアで前記第１端末により使用される通信リソースと、前記第２キャリアで前記第２端末により使用される通信リソースとを交互に配置することは、
前記第２ネットワーク装置が、第１リソース領域を用いて前記第１端末にデータを送信し、第２リソース領域を用いて前記第２端末にデータを送信することであって、前記第１リソース領域は前記第２リソース領域と異なる、ことを含む、
請求項１ないし３いずれか一項に記載の方法。
【請求項７】
前記方法はさらに、
前記第２ネットワーク装置が、前記第１ネットワーク装置に第２指示メッセージを送信することであって、前記第２指示メッセージは、前記第１キャリアの制御チャネルで前記第１端末に、前記第１端末の、前記第２キャリアの制御情報を送信するように、前記第１ネットワーク装置に指示するために使用され、前記第１リソース領域を示す情報を含む、ことを含む、
請求項６に記載の方法。
【請求項８】
前記第１通知メッセージはさらに、前記第１端末と前記第２端末とにより使用される前記Ｃ−ＲＮＴＩを通知するために使用され、または
前記方法はさらに、
前記第２ネットワーク装置が、前記第１ネットワーク装置に第２通知メッセージを送信することであって、前記第２通知メッセージは、前記第１端末と前記第２端末とにより使用される前記Ｃ−ＲＮＴＩを通知するために使用される、ことを含む、
請求項２ないし７いずれか一項に記載の方法。
【請求項９】
第１キャリアと第２キャリアとを有するマルチキャリア通信システムに適用される識別子管理方法であって、第１端末が、前記第１キャリアが配置された第１ネットワーク装置を用いて無線ネットワークにアクセスし、無線ネットワーク一時識別子（Ｃ−ＲＮＴＩ）を割り当てられ、
前記方法は、
第１ネットワーク装置が、第２キャリアが配置された第２ネットワーク装置に、要求メッセージを送信することであって、前記要求メッセージは前記第２ネットワーク装置に前記Ｃ−ＲＮＴＩを前記第１端末に割り当てるよう要求するために使用される、ことと
前記第１端末が前記第２キャリアで第２端末と同じ前記Ｃ−ＲＮＴＩを使用するとき、前記第１ネットワーク装置が、前記第２ネットワーク装置により送信された指示メッセージを受信することであって、前記指示メッセージは、前記第１キャリアの制御チャネルで前記第１端末に、前記第１端末の、前記第２キャリアの制御情報を送信するように、前記第１ネットワーク装置に指示するために使用され、前記第２キャリアで前記第１端末により使用される通信リソースと、前記第２キャリアで前記第２端末により使用される通信リソースは交互に配置される、こととを含む、
方法。
【請求項１０】
前記方法はさらに、
前記第１ネットワーク装置が、前記第２ネットワーク装置により送信された通知メッセージを受信することであって、前記通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの前記制御チャネルで前記第１端末に、前記第１端末の、前記第２キャリアの制御情報を送信することを含む、ことを含む、
請求項９に記載の方法。
【請求項１１】
前記第１端末の、前記第２キャリアの制御情報は、前記第１端末に前記第２キャリアのデータチャネルの位置を示す情報を含む、請求項１０に記載の方法。
【請求項１２】
前記第２キャリアで前記第１端末により使用される通信リソースと、前記第２キャリアで前記第２端末により使用される通信リソースとは交互に配置されることは、前記第１端末のスケジューリング期間が前記第２端末のスケジューリング期間と異なることを含む、請求項９ないし１１いずれか一項に記載の方法。
【請求項１３】
前記第２キャリアで前記第１端末により使用される通信リソースと、前記第２キャリアで前記第２端末により使用される通信リソースとは交互に配置されることは、前記第１端末により使用されるリソース領域が前記第２端末により使用されるリソース領域と異なることを含む、
請求項９ないし１１いずれか一項に記載の方法。
【請求項１４】
第１キャリアと第２キャリアとを有するマルチキャリア通信システムに適用される第２ネットワーク装置であって、前記第２ネットワーク装置は前記第２キャリアが配置されるネットワーク装置であり、第１端末が、前記第１キャリアが配置された第１ネットワーク装置を用いて無線ネットワークにアクセスし、無線ネットワーク一時識別子（Ｃ−ＲＮＴＩ）を割り当てられ、
前記第２ネットワーク装置は、
前記第１ネットワーク装置により送信された要求メッセージを受信するように構成されるインターフェースユニットであって、前記要求メッセージは前記第２ネットワーク装置に前記Ｃ−ＲＮＴＩを前記第１端末に割り当てるよう要求するために使用される、インターフェースユニットと、
処理ユニットであって、  前記Ｃ−ＲＮＴＩが前記第２ネットワーク装置により第２端末に割り当てられたとき、前記第２端末の前記Ｃ−ＲＮＴＩと同じ前記Ｃ−ＲＮＴＩを、前記第１端末に割り当て、前記第２キャリア上で前記第１端末により使用される通信リソースと、前記第２キャリア上で前記第２端末により使用される通信リソースとをずらして交互に配置するように構成された、処理ユニットとを有する、
第２ネットワーク装置。
【請求項１５】
前記インターフェースユニットはさらに、前記第１ネットワーク装置に第１通知メッセージを送信するように構成され、前記第１通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの制御チャネルで前記第１端末に、前記第１端末の、前記第２キャリアの制御情報を送信することを含む、請求項１４に記載の第２ネットワーク装置。
【請求項１６】
前記第１端末の、前記第２キャリアの制御情報は、前記第１端末に前記第２キャリアのデータチャネルの位置を示す情報を含む、請求項１５に記載の第２ネットワーク装置。
【請求項１７】
処理ユニットが、前記第１端末に、前記第２端末の前記Ｃ−ＲＮＴＩと同じＣ−ＲＮＴＩを割り当て、前記第２キャリア上で前記第１端末により使用される通信リソースと、前記第２キャリア上で前記第２端末により使用される通信リソースとを交互に配置することは、第１スケジューリング期間における前記第１端末をスケジューリングし、第２スケジューリング期間における前記第２端末をスケジューリングすることであって、前記第１スケジューリング期間は前記第２スケジューリング期間と異なる、ことを含む、請求項１４ないし１６いずれか一項に記載の第２ネットワーク装置。
【請求項１８】
前記インターフェースユニットはさらに、前記処理ユニットが前記第２キャリア上で前記第１端末により使用される前記通信リソースと、前記第２キャリア上で前記第２端末により使用される前記通信リソースとを交互に配置した後、前記第１ネットワーク装置に第１指示メッセージを送信するように構成され、前記第１指示メッセージは、前記第１キャリアの制御チャネルで前記第１端末に、前記第１端末の、前記第２キャリアの制御情報を送信するように、前記第１ネットワーク装置に指示するために使用される、請求項１７に記載の第２ネットワーク装置。
【請求項１９】
処理ユニットが、前記第１端末に、前記第２端末の前記Ｃ−ＲＮＴＩと同じＣ−ＲＮＴＩを割り当て、前記第２キャリア上で前記第１端末により使用される通信リソースと、前記第２キャリア上で前記第２端末により使用される通信リソースとを交互に配置するように構成されることは、第１リソース領域を用いて前記第１端末にデータを送信し、第２リソース領域を用いて前記第２端末にデータを送信することであって、前記第１リソース領域は前記第２リソース領域と異なる、ことを含む、
請求項１４ないし１６いずれか一項に記載の第２ネットワーク装置。
【請求項２０】
前記インターフェースユニットはさらに、前記第１ネットワーク装置に第２指示メッセージを送信するように構成され、
前記第２指示メッセージは、前記第１キャリアの制御チャネルで前記第１端末に、前記第１端末の、前記第２キャリアの制御情報を送信するように、前記第１ネットワーク装置に指示するために使用され、前記第１リソース領域を示す情報を含む、
請求項１９に記載の第２ネットワーク装置。
【請求項２１】
前記第１通知メッセージはさらに、前記第１端末と前記第２端末とにより使用される前記Ｃ−ＲＮＴＩを通知するために使用され、または
前記インターフェースユニットはさらに、前記第１ネットワーク装置に第２通知メッセージを送信するように構成され、前記第２通知メッセージは、前記第１端末と前記第２端末とにより使用される前記Ｃ−ＲＮＴＩを通知するために使用される、
請求項１５ないし２０に記載の第２ネットワーク装置。
【請求項２２】
第１キャリアと第２キャリアとを有するマルチキャリア通信システムに適用される第１ネットワーク装置であって、第１端末は、前記第１キャリアが配置された前記第１ネットワーク装置を用いて無線ネットワークにアクセスし、
前記第１ネットワーク装置は、
前記第１端末に無線ネットワーク一時的識別子（Ｃ−ＲＮＴＩ）を割り当てるように構成された処理ユニットと、
前記第２キャリアが配置された第２ネットワーク装置に要求メッセージを送信するように構成され、
前記要求メッセージは前記第２ネットワーク装置に前記Ｃ−ＲＮＴＩを前記第１端末に割り当てるよう要求するために使用される、インターフェースユニットとを有し、
前記インターフェースユニットはさらに、前記第１端末が前記第２キャリアで第２端末と同じ前記Ｃ−ＲＮＴＩを使用するとき、前記第２ネットワーク装置により送信された指示メッセージを受信するように構成され、前記指示メッセージは、前記第１キャリアの制御チャネルで前記第１端末に、前記第１端末の、前記第２キャリアの制御情報を送信するように、前記第１ネットワーク装置に指示するために使用され、前記第２キャリアで前記第１端末により使用される通信リソースと、前記第２キャリアで前記第２端末により使用される通信リソースとは交互に配置される、
第１ネットワーク装置。
【請求項２３】
前記インターフェースユニットは、前記第２ネットワーク装置により送信された通知メッセージを受信するようにさらに構成され、前記通知メッセージは前記第１ネットワーク装置に前記第１端末のためのクロスキャリアスケジューリングを開始するよう指示するために使用され、前記クロスキャリアスケジューリングは、前記第１ネットワーク装置が、前記第１キャリアの前記制御チャネルで前記第１端末に、前記第１端末の、前記第２キャリアの制御情報を送信することを含む、請求項２２に記載の第１ネットワーク装置。
【請求項２４】
前記第１端末の、前記第２キャリアの制御情報は、前記第１端末に前記第２キャリアのデータチャネルの位置を示す情報を含む、請求項２３に記載の第１ネットワーク装置。
【請求項２５】
前記第２キャリアで前記第１端末により使用される通信リソースと、前記第２キャリアで前記第２端末により使用される通信リソースとは交互に配置されることは、具体的に、前記第１端末のスケジューリング期間が前記第２端末のスケジューリング期間と異なることを含む、
請求項２２ないし２４いずれか一項に記載の第１ネットワーク装置。
【請求項２６】
前記第２キャリアで前記第１端末により使用される通信リソースと、前記第２キャリアで前記第２端末により使用される通信リソースとは交互に配置されることは、具体的に、前記第１端末により使用されるリソース領域が前記第２端末により使用されるリソース領域と異なることを含む、
請求項２２ないし２４いずれか一項に記載の第１ネットワーク装置。
【請求項２７】
コンピュータに請求項１ないし８いずれか一項に記載の方法を実行させるプログラム。
【請求項２８】
コンピュータに請求項９ないし１３いずれか一項に記載の方法を実行させるプログラム。
【手続補正２】
【補正対象書類名】明細書
【補正対象項目名】全文
【補正方法】変更
【補正の内容】
【発明の詳細な説明】
【技術分野】
【０００１】
本発明は無線通信技術に関し、特に識別子に関する方法、装置およびシステムに関する。
【背景技術】
【０００２】
移動通信とブロードバンド無線アクセス技術との発展とともに、移動通信サービスとブロードバンド無線アクセスサービスは互いに浸透している。ブロードバンド移動通信への要求を満たし、ブロードバンド移動通信の問題を解決するため、移動通信システムにキャリアアグリゲーション（ｃａｒｒｉｅｒ  ａｇｇｒｅｇａｔｉｏｎ，ＣＡ）技術が導入された。
【０００３】
ＣＡ技術では、複数の連続な又は不連続なコンポーネントキャリア（ｃｏｍｐｏｎｅｎｔ  ｃａｒｒｉｅｒ，ＣＣ）を束ねることにより、より大きい帯域幅が得られ、それによりシステムデータ伝送レートとシステムスループットとを改善し、オペレータ周波数スペクトルの不連続性問題を解決する。
【０００４】
ＣＡ機能を有する端末の場合、束ねられる複数のＣＣは、プライマリセル（ｐｒｉｍａｒｙ  ｃｅｌｌ，Ｐｃｅｌｌ）に対応する１つのプライマリコンポーネントキャリア（ｐｒｉｍａｒｙ  ｃｏｍｐｏｎｅｎｔ  ｃａｒｒｉｅｒ，ＰＣＣ）と、セカンダリセル（ｓｅｃｏｎｄａｒｙ  ｃｅｌｌ，Ｓｃｅｌｌ）に対応する少なくとも１つのセカンダリコンポーネントキャリア（ｓｅｃｏｎｄａｒｙ  ｃｏｍｐｏｎｅｎｔ  ｃａｒｒｉｅｒ，ＳＣＣ）とを含む。束ねられた各ＣＣは、その端末によるデータ伝送に使用される。それゆえ、束ねられたＣＣ上で端末によって使用されるセル無線ネットワーク一時識別子（ｃｅｌｌ−ｒａｄｉｏ  ｎｅｔｗｏｒｋ  ｔｅｍｐｏｒａｒｙ  ｉｄｅｎｔｉｆｉｅｒ，Ｃ−ＲＮＴＩ）は同じである必要がある。
【０００５】
キャリアアグリゲーション中、端末がＰＣＣにアクセスするとき、ＰＣＣ上でＣ−ＲＮＴＩがその端末に割り当てられる。ＳＣＣが設定またはアクティブにされたとき、ＰＣＣ上の割り当てられたＣ−ＲＮＴＩがＳＣＣに通知され、そのＣ−ＲＮＴＩがＳＣＣ上でその端末に割り当てられる。しかし、そのＳＣＣは他の端末のサービングセルとして使用されている可能性があり、Ｃ−ＲＮＴＩは当該他の端末に割り当てられる可能性がある。具体的には、ＰＣＣ上で端末に割り当てられたＣ−ＲＮＴＩは、ＳＣＣ上で他の端末に既に割り当てられている。この場合、端末にＣ−ＲＮＴＩが再割り当てされなければならず、その端末のサービス中断が生じ、ユーザ体験が悪くなる。
【発明の概要】
【０００６】
本発明の実施形態は、ユーザ体験を改善する識別子管理方法を提供する。
【０００７】
一態様によると、本願の一実施形態は、マルチキャリア通信システムに適用可能な識別子管理方法を提供する。マルチキャリア通信システムは第１キャリアと第２キャリアとを含み、第１端末が、前記第１キャリアが配置された第１ネットワーク装置を用いて無線ネットワークにアクセスし、無線ネットワーク一時識別子Ｃ−ＲＮＴＩを割り当てられ、該方法は、前記第２キャリアが配置された第２ネットワーク装置が、前記第１ネットワーク装置により送信された要求メッセージを受信することであって、要求メッセージは第１端末にＣ−ＲＮＴＩを割り当てるように第２ネットワーク装置に要求するために用いられる、ことと、前記Ｃ−ＲＮＴＩが前記第２ネットワーク装置により第２端末に割り当てられたとき、前記第２ネットワーク装置が、前記第２端末の前記Ｃ−ＲＮＴＩと同じ前記Ｃ−ＲＮＴＩを、前記第１端末に割り当て、前記第２キャリア上で前記第１端末により使用される通信リソースと、前記第２キャリア上で前記第２端末により使用される通信リソースとを交互に配置することとを含む。
【０００８】
上記態様に基づき、本願はさらに次のあり得る設計を提供する：
【０００９】
あり得る設計では、第２ネットワーク装置が、第１ネットワーク装置に第１通知メッセージを送信し、第１通知メッセージは、第１端末のクロスキャリアスケジューリングを開始するように第１ネットワーク装置に指示するために使用され、クロスキャリアスケジューリングは：前記第１ネットワーク装置が、前記第１キャリアの制御チャネルで前記第１端末に、前記第１端末の、前記第２キャリアの制御情報を送信することを含む。このように、第１の端末と第２の端末は、異なるキャリアを使用することによってその制御情報を区別することができ、それによって互いの干渉を回避し、通信エラーを回避することができる。
【００１０】
上記設計において言及した第２のキャリア上の第１の端末の制御情報は、第１の端末を示す情報と、第２のキャリアのデータチャネルの位置とを含むことができる。
【００１１】
あり得る設計において、前記第２ネットワーク装置が、前記第２キャリアで前記第１端末により使用される通信リソースと、前記第２キャリアで前記第２端末により使用される通信リソースとを交互に配置することは、前記第２ネットワーク装置が、第１スケジューリング期間における前記第１端末をスケジューリングし、前記第２スケジューリング期間における前記第２端末をスケジューリングすることであって、第１スケジューリング期間は前記第２スケジューリング期間と異なる、ことを含み得る。
【００１２】
上記の設計に基づき、本方法はさらに：第２ネットワーク装置が、第１ネットワーク装置に、第１指示メッセージを送信することを含み、第１指示メッセージは、第１キャリアの制御チャネルで第１端末に、第１端末の、第２キャリアの制御情報を送信するように、第１ネットワーク装置に指示するために使用される。第１指示メッセージは、第２ネットワーク装置が、例えば、第１スケジューリング期間が設定された後にリアルタイムで送信される、第１端末のための第１スケジューリング期間を構成することに基づいて送信されてもよい。
【００１３】
あり得る設計において、前記第２ネットワーク装置が、前記第２キャリアで前記第１端末により使用される通信リソースと、前記第２キャリアで前記第２端末により使用される通信リソースとを交互に配置することは、第２ネットワーク装置が、第１リソース領域を用いて前記第１端末にデータを送信し、第２リソース領域を用いて前記第２端末にデータを送信することであって、前記第１リソース領域は前記第２リソース領域と異なる、ことを含む。第２ネットワーク装置は、周波数領域、時間領域、または周波数領域および時間領域に基づく分割により第１リソース領域および第２リソース領域を取得し、第１リソース領域および第２リソース領域を第１端末および第２端末に割り当てる。本明細書では、リソース領域は少なくとも１つの物理リソースブロックまたは物理リソースブロックペアを含んでもよい。
【００１４】
上記の設計に基づき、本方法はさらに：第２ネットワーク装置が、第１ネットワーク装置に第２指示メッセージを送信することを含み、第２指示メッセージは、第１キャリアの制御チャネル上で第１端末に、第１端末の、第２キャリアの制御情報を送信するように、第１ネットワーク装置に指示するために使用され、第１リソース領域を示す情報を含む。第１のリソース領域を示す情報は、第２のネットワーク装置による分割によりリソース領域を取得する具体的な方法に基づいて、周波数帯域情報、時間情報、又は周波数帯域情報及び時間情報を含むことができる。
【００１５】
あり得る設計では、上記の設計における前記第１通知メッセージはさらに、前記第１端末と前記第２端末とにより使用される前記Ｃ−ＲＮＴＩを通知するために使用される。
【００１６】
あり得る設計では、第２ネットワーク装置は、第１ネットワーク装置に第２通知メッセージを送信し、第２通知メッセージは、第１端末および第２端末によって使用される同じＣ−ＲＮＴＩを通知するために使用される。
【００１７】
あり得る設計では、第２ネットワーク装置は、第１通知メッセージまたは第２通知メッセージに、第２キャリア上に第１端末または第２端末により使用される通信リソースを交互に配置する具体的な方法を含め、その第１通知メッセージまたは第２通知メッセージを第１ネットワーク装置に送信する。利点は次の通りである：第１ネットワーク装置はできるだけ早く解決策を通知され、第１ネットワーク装置が第１キャリア上の後続のスケジューリング構成を調整することは有利である。
【００１８】
他の一態様によると、本願の一実施形態は、マルチキャリア通信システムに適用可能な他の識別子管理方法を提供する。マルチキャリア通信システムは第１キャリアと第２キャリアとを含み、第１端末が、前記第１キャリアが配置された第１ネットワーク装置を用いて無線ネットワークにアクセスし、無線ネットワーク一時識別子Ｃ−ＲＮＴＩを割り当てられ、該方法は、第１ネットワーク装置が、第２キャリアが配置された前記第２ネットワーク装置に要求メッセージを送信することであって、要求メッセージは第１端末にＣ−ＲＮＴＩを割り当てるように第２ネットワーク装置に要求するために用いられる、ことと、前記第１端末が前記第２キャリアで第２端末と同じ前記Ｃ−ＲＮＴＩを使用するとき、前記第１ネットワーク装置が、前記第２ネットワーク装置により送信された指示メッセージを受信することであって、前記指示メッセージは、前記第１キャリアの制御チャネルで前記第１端末に、前記第１端末の、前記第２キャリアの制御情報を送信するように、前記第１ネットワーク装置に指示するために使用され、前記第２キャリアで前記第１端末により使用される通信リソースと、前記第２キャリアで前記第２端末により使用される通信リソースは交互に配置される、ことを含む。
【００１９】
上記態様に基づき、本願はさらに次の設計を提供する：
【００２０】
あり得る設計では、第１ネットワーク装置が、第２ネットワーク装置により送信された第１通知メッセージを受信し、第１通知メッセージは、第１端末のクロスキャリアスケジューリングを開始するように第１ネットワーク装置に指示するために使用され、クロスキャリアスケジューリングは：前記第１ネットワーク装置が前記第１キャリアの前記制御チャネルで前記第１端末に、前記第１端末の、前記第２キャリアの制御情報を送信することを含む。このように、第１の端末と第２の端末は、異なるキャリアを使用することによってその制御情報を区別することができ、それによって互いの干渉を回避し、通信エラーを回避することができる。
【００２１】
上記設計において言及した第２のキャリア上の第１の端末の制御情報は、第１の端末を示す情報と、第２のキャリアのデータチャネルの位置とを含むことができる。
【００２２】
あり得る設計では、前記第２キャリアで前記第２端末により使用される通信リソースと、前記第２キャリアで前記第２端末により使用される通信リソースとは交互に配置されることは、前記第１端末のスケジューリング期間が前記第２端末のスケジューリング期間と異なることを含む。
【００２３】
あり得る設計では、前記第２キャリアで前記第２端末により使用される通信リソースと、前記第２キャリアで前記第２端末により使用される通信リソースとは交互に配置されることは、前記第１端末により使用されるリソース領域が前記第２端末により使用されるリソース領域と異なることを含む。周波数領域、時間領域、または周波数領域及び時間領域に基づき分割により、異なるリソース領域が得られる可能性がある。
【００２４】
あり得る設計では、上記の設計における前記通知メッセージはさらに、前記第１端末と前記第２端末とにより使用される前記Ｃ−ＲＮＴＩを通知するために使用される。
【００２５】
あり得る設計では、第１ネットワーク装置は、第２ネットワーク装置により送信された第２通知メッセージを送信し、第２通知メッセージは、第１端末および第２端末によって使用されるＣ−ＲＮＴＩを通知するために使用される。
【００２６】
他の一態様によると、本発明の一実施形態はネットワーク装置を提供する。ネットワーク装置は、上記の方法設計の第１ネットワーク装置または第２ネットワーク装置の動作を実施する機能を有する。これらの機能はハードウェアにより実装されてもよく、またはハードウェアにより対応するソフトウェアを実行することにより実施されてもよい。ハードウェアまたはソフトウェアは、前述の機能に対応する１つまたは複数のユニットを含む。
【００２７】
あり得る設計では、ネットワーク装置の構成は、プロセッサ、送信部、及びインターフェースユニットを含む。プロセッサは、ネットワーク装置による上記の方法において対応する機能の実行をサポートするように構成される。送信部はネットワーク装置と端末との間の通信をサポートするように構成される。インターフェース部は、他のネットワーク装置と通信するようにネットワーク装置に指示し、他のネットワーク装置に上記方法で使用されるメッセージまたは命令を送信するように構成される。本ネットワーク装置はさらにメモリを含んでもよい。メモリは、プロセッサと結合するように構成され、基地局が必要とするプログラム命令とデータを格納する。
【００２８】
さらに他の一態様によると、本発明の一実施形態は通信システムを提供する。本システムは上記の態様による第１ネットワーク装置と第２ネットワーク装置を含む。
【００２９】
さらに別の態様によれば、本発明の実施形態は、前述の第２ネットワーク装置によって使用されるコンピュータソフトウェア命令を格納するように構成され、前述の態様を実行するように設計されたプログラムを含むコンピュータ記憶媒体を提供する。
【００３０】
さらに別の態様によれば、本発明の実施形態は、前述の第１ネットワーク装置によって使用されるコンピュータソフトウェア命令を格納するように構成され、前述の態様を実行するように設計されたプログラムを含むコンピュータ記憶媒体を提供する。
【００３１】
さらに他の一態様によると、本発明の一実施形態は、少なくとも１つのプロセッサと、メモリと、入出力部と、バスとを含むチップシステムを提供する。少なくとも１つのプロセッサは、バスを使用してメモリ内の命令を取得し、前述の方法設計における第２ネットワーク装置の設計された機能を実施する。
【００３２】
さらに他の一態様によると、本発明の一実施形態はチップシステムを提供する。該チップシステムは：少なくとも１つのプロセッサと、メモリと、入出力部と、バスとを含む。少なくとも１つのプロセッサは、バスを使用してメモリ内の命令を取得し、前述の方法設計における第１ネットワーク装置の設計された機能を実施する。
【００３３】
本発明の実施形態で提供される技術的解決策では、ＰＣＣとしての第１キャリアが端末のＳＣＣとして第２キャリアと集約されるとき、端末に対応するＣ−ＲＮＴＩがすでに第２キャリア上で占有されている場合、ＳＣＣが配置されたネットワーク装置は、その端末と別の端末のＣ−ＲＮＴＩを多重化し、第２のキャリア上のその端末と他の端末の通信リソースを交互に配置する。先行技術とは異なり、本技術的解決策では、端末は、Ｃ−ＲＮＴＩを変更することなく、端末の通常通信を実施でき、サービス中断によるユーザ体験の悪化を回避できる。
【図面の簡単な説明】
【００３４】
本発明の実施形態または先行技術の技術的解決手段をより明確に説明するため、以下に実施形態または先行技術を説明するのに必要な添付図面を簡単に説明する。明らかに、以下に説明する添付図面は、本発明の単なる実施形態を示しており、本技術分野の当業者は、創作的努力をせずとも、これらの添付図面から他の図面を作成することもできるだろう。
【００３５】
【図１】本発明の一実施形態によるシステムアーキテクチャ図である。
【００３６】
【図２（ａ）】本発明の一実施形態によるキャリアアグリゲーションの一例を示す図である。
【００３７】
【図２（ｂ）】本発明の一実施形態によるキャリアアグリゲーションの他の一例を示す図である。
【００３８】
【図２（ｃ）】本発明の一実施形態によるキャリアアグリゲーションの他の一例を示す図である。
【００３９】
【図３】本発明の一実施形態によるＣ−ＲＮＴＩ衝突を示す概略図である。
【００４０】
【図４】本発明の一実施形態による識別子管理方法を示す概略的フローチャートである。
【００４１】
【図５】本発明の一実施形態によるクロスキャリアスケジューリングの基本原理を示す概略図である。
【００４２】
【図６】本発明の一実施形態によるネットワーク装置を示す概略構造図である。
【００４３】
【図７】本発明の一実施形態によるネットワーク装置を示す他の概略構造図である。
【発明を実施するための形態】
【００４４】
図１は、本発明の一実施形態によるシステムアーキテクチャ図である。図１に示すように、端末は、無線アクセスネットワーク（ｒａｄｉｏ  ａｃｃｅｓｓ  ｎｅｔｗｏｒｋ，ＲＡＮ）及びコアネットワーク（ｃｏｒｅ  ｎｅｔｗｏｒｋ，ＣＮ）を用いて外部ネットワーク（ｅｘｔｅｒｎａｌ  ｎｅｔｗｏｒｋ）にアクセスする。本発明で説明する技術は、様々な無線アクセス技術を使用して、例えば、符号分割多元接続、周波数分割多元接続、時分割多元接続、直交周波数分割多元接続、およびシングルキャリア周波数分割多元接続、および第５世代５Ｇシステムなどのその後の進化型システムを含むアクセス技術を使用するシステムを使用する、他の無線通信システムに適用可能である。
【００４５】
本出願では、「ネットワーク」及び「システム」という名詞は交換可能に用いられることが多いが、当業者はこれらの意味を理解できるだろう。説明を明確にするため、本明細書では、ロングタームエボリューション（ｌｏｎｇ  ｔｅｒｍ  ｅｖｏｌｕｔｉｏｎ，ＬＴＥ）システムは、説明のための一例として使用されている。ＬＴＥシステムでは、進化したＵＭＴＳ地上無線アクセス（ｅｖｏｌｖｅｄ  ｕｎｉｖｅｒｓａｌ  ｔｅｒｒｅｓｔｒｉａｌ  ｒａｄｉｏ  ａｃｃｅｓｓ，Ｅ−ＵＴＲＡ）ネットワークが無線アクセスネットワークとして使用され、進化したパケットコア（ｅｖｏｌｖｅｄ  ｐａｃｋｅｔ  ｃｏｒｅ，ＥＰＣ）がコアネットワークとして使用される。
【００４６】
本発明の実施形態では、ネットワーク装置は、無線アクセスネットワーク内に展開され、無線通信機能を端末に提供するように構成された装置であってもよい。ネットワーク装置は、マクロ基地局、マイクロ基地局、中継局、および様々な形態のアクセスポイントを含んでもよい。異なる無線アクセス技術を使用するシステムでは、基地局の機能を有する装置の名前が異なる場合がある。例えば、ＬＴＥシステムでは、装置は、進化型ＮｏｄｅＢ（ｅｖｏｌｖｅｄ  ＮｏｄｅＢ、ｅＮｏｄｅＢ）と呼ばれる。端末は、無線通信機能を有する様々なハンドヘルド装置、車載装置、ウェアラブル装置、計算装置、無線モデムに接続された他の処理装置、様々な形態の移動局（ｍｏｂｉｌｅ  ｓｔａｔｉｏｎ，ＭＳ）、ユーザ装置（ｕｓｅｒ  ｅｑｕｉｐｍｅｎｔ，ＵＥ）などを含んでもよい。
【００４７】
また、本出願における制御チャネルは、ＬＴＥシステムにおける物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）であってもよく、本出願におけるデータチャネルは、ＬＴＥシステムにおける物理ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ））または物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）であってもよい。
【００４８】
本発明の実施形態は、ＣＡ技術に適用可能である。図２（ａ）、図２（ｂ）および図２（ｃ）は、ＣＡの３つの例を示す。図２（ａ）に示すように、周波数帯域Ａでは、ＣＣ１及びＣＣ２としてそれぞれ周波数帯域１及び周波数帯域２が集約され、周波数帯域１及び周波数帯域２は連続である。図２（ｂ）に示すように、周波数帯域Ａでは、ＣＣ１及びＣＣ２としてそれぞれ周波数帯域１及び周波数帯域２が集約され、周波数帯域１及び周波数帯域２は不連続である。図２（ｃ）に示すように、周波数帯Ａの周波数帯域１がＣＣ２として、周波数帯域Ｂの周波数帯域２がＣＣ２として、それぞれ集約される。確かに、上記の例として、２つのＣＣのみの集約が使用されている。実際には、ＣＡは３つ以上のＣＣの集約も含まれ得る。詳細はここでは説明しない。
【００４９】
ＣＡ技術では、複数の集約ＣＣを同一のネットワーク装置を用いて管理してもよいし、異なるネットワーク装置を用いて別々に管理してもよい。具体的には、それぞれＣＣ１およびＣＣ２である２つのＣＣが存在すると仮定する。本発明の実施形態は、２つのＣＣ間の相互作用、又はＣＣと端末との間の相互作用に関する。ＣＣの方法動作のための実行主体を、次の複数の場合で説明する：
【００５０】
ＣＣ１及びＣＣ２が異なるネットワーク装置によって管理される場合、ＣＣ１の方法動作は、ＣＣ１が配置されている第１のネットワーク装置によって実行されてもよく、ＣＣ２の方法動作は、ＣＣ２が配置されている第２のネットワーク装置によって実行されてもよい。ＣＣ１とＣＣ２とが同一のネットワーク装置によって管理されている場合、ＣＣ１の方法動作は、ネットワーク装置に含まれ、ＣＣ１を管理するベースバンド処理ボードによって実行されてもよいし、ＣＣ２の方法動作は、ネットワーク装置に含まれ、ＣＣ２を管理するベースバンド処理ボードによって実行されてもよい。ＣＣ１とＣＣ２が同じネットワーク装置に含まれる同じベースバンド処理ボードによって管理される場合、ＣＣ１の方法動作は、ＣＣ１を制御するプロセッサによって実行されてもよく、ＣＣ２の方法動作は、ＣＣ２を制御するプロセッサによって実行されてもよい。留意点として、本発明の実施形態では、上記の場合のいずれか１つにかかわらず、ＣＣ１の方法は、ＣＣ１が配置された第１ネットワーク装置によって実行され、ＣＣ２の方法は、ＣＣ２が配置された第２のネットワーク装置によって実行されると考えられてもよい。同じネットワーク装置が管理を行う場合、第１ネットワーク装置と第２ネットワーク装置は同じネットワーク装置である。
【００５１】
Ｃ−ＲＮＴＩは、メディアアクセス制御（ｍｅｄｉａ  ａｃｃｅｓｓ  ｃｏｎｔｒｏｌ，ＭＡＣ）パケットデータユニット（ｐａｃｋｅｔ  ｄａｔａ  ｕｎｉｔ，ＰＤＵ）のヘッダに付加される識別子であり、無線リソース制御（ｒａｄｉｏ  ｒｅｓｏｕｒｃｅ  ｃｏｎｔｒｏｌ，ＲＲＣ）の識別及びスケジューリングに使用される。現在、Ｃ−ＲＮＴＩの長さは１６ビットであり、Ｃ−ＲＮＴＩの値の範囲は０〜６５５３５である。
【００５２】
ＣＡシナリオでは、ＰＣＣとＳＣＣの両方が同じ端末によるデータ送信に使用され、端末によって使用されるＣ−ＲＮＴＩは同じである必要がある。端末のＣ−ＲＮＴＩは、端末がＰＣＣにアクセスするときに、ＰＣＣが配置されているネットワーク装置によって、端末に割り当てられる。図３に示すように、ＰＣＣとしてのＣＣ１は、端末１のＳＣＣとしてＣＣ２として集約される。ＣＣ２が起動されると、端末１に対して、ＣＣ１に割り当てられたＣ−ＲＮＴＩ１を、ＣＣ２で使用する必要があるが、Ｃ−ＲＮＴＩ１はＣＣ２上の端末２に既に割り当てられている可能性がある。したがって、２つの端末間でＣ−ＲＮＴＩ競合が発生する。この場合、Ｃ−ＲＮＴＩが端末１または端末２に再割り当てされなければならず、その端末のサービス中断が生じ、ユーザ体験が悪くなる。
【００５３】
例えば、Ｃ−ＲＮＴＩ競合が発生した後、従来技術では、セルのハンドオーバにより、端末１または端末２に対して新しいＣ−ＲＮＴＩが変更される。しかしながら、このようにして、端末１または端末２の現在のサービスの中断が引き起こされ、ユーザ経験が悪くなる。
【００５４】
上述の問題を考慮して、Ｃ−ＲＮＴＩ競合が発生すると、本出願の実施形態では、新しいＣ−ＲＮＴＩを端末に再割り当てする代わりに、Ｃ−ＲＮＴＩが２つの端末によって多重化され、Ｃ−ＲＮＴＩが多重化されているＣＣでは、２つの端末によるデータ送信は、交互に配置されたリソースによって保証される。
【００５５】
以下に、添付図面を参照して、本願の実施形態を詳細に説明する。
【００５６】
図４は、マルチキャリア通信システムに適用される識別子管理方法を示す概略フローチャートである。通信システムはＣＣ１とＣＣ２を含み、端末１は、ＣＣ１が配置され、Ｃ−ＲＮＴＩが割り当てられた第１ネットワーク装置を使用して無線ネットワークにアクセスする。
【００５７】
この方法は、図１に示すシステムアーキテクチャと、図２（ａ）、図２（ｂ）および図２（ｃ）に示すＣＡ技術と、図３に示す適用シナリオとに適用可能である。この方法は次のステップを含む：
【００５８】
４０１：第１ネットワーク装置は、ＣＣ２が配置された第２ネットワーク装置に要求メッセージを送信する。要求メッセージは、Ｃ−ＲＮＴＩを、すなわち、ＣＣ１において第１ネットワーク装置によって端末に割り当てられたＣ−ＲＮＴＩを第１ネットワーク装置に割り当てるように第２ネットワーク装置に要求するために使用される。
【００５９】
４０２：第２のネットワーク装置によってＣ−ＲＮＴＩが端末２に割り当てられると、第２のネットワーク装置は、端末２のＣ−ＲＮＴＩと同じＣ−ＲＮＴＩを端末１に割り当て、ＣＣ２において端末１によって使用される通信リソースと、ＣＣ２において端末２によって使用される通信リソースとを交互に配置する。
【００６０】
本発明のこの実施形態では、端末１が第１ネットワーク装置を用いてＲＡＮにアクセスするとき、第１ネットワーク装置は、Ｃ−ＲＮＴＩを端末１に割り当てる。端末１のＰＣＣとしてのＣＣ１は、端末１に対し、端末１のＳＣＣとしてのＣＣ２と集約される。したがって、ステップ４０１がトリガされる。ステップ４０１において、Ｃ−ＲＮＴＩを端末１に割り当てるように第２ネットワーク装置に要求するために、Ｃ−ＲＮＴＩが要求メッセージで運ばれてもよい。要求メッセージは、例えば、既存のＣＣ１とＣＣ２との間で交換されるメッセージであってもよく、例えば、ＳＣＣ上のＰＣＣにリソースを要求するメッセージ、例えば、ＳＣＣにおけるユーザ機器のリソースアプリケーションメッセージであってもよい。さらに、要求メッセージは、新たに追加されたメッセージであってもよく、Ｃ−ＲＮＴＩのみを含んでもよく、別の情報要素を含んでいてもよい。
【００６１】
第２ネットワーク装置は第１ネットワーク装置により送信された要求メッセージを受信する。第２ネットワーク装置は要求メッセージを解析して、その要求メッセージ中のＣ−ＲＮＴＩを取得してもよい。第２ネットワーク装置は、Ｃ−ＲＮＴＩが第２ネットワーク装置によりすでに端末２に割り当てられていることを発見した場合、端末１と端末２のＣ−ＲＮＴＩを多重してもよい。具体的に言うと、端末１または端末２のＣ−ＲＮＴＩが変更される先行技術とは異なり、Ｃ−ＲＮＴＩは依然として端末１に割り当てられ、端末１と端末２とがＣＣ２において同じＣ−ＲＮＴＩを使用する。
【００６２】
後続のデータ伝送においてエラーや衝突を避けるため、第２ネットワーク装置は、ＣＣ２において端末１により使用される通信リソースと、ＣＣ２において端末２により使用される通信リソースとを交互に配置する。本明細書では、通信リソースとは、時間リソース、周波数リソース、空間リソースなどであり得る。また、通信リソースは幾つかのリソースの組み合わせであってもよく、例えば時間・周波数リソースであってもよい。本明細書において、リソースは時間領域において交互に配置されてもよく、及び／又は周波数領域において交互に配置されてもよく、及び／又は空間的に交互に配置されてもよい。本願ではこの点は限定しない。
【００６３】
実装では、リソースは時間領域で交互に配置することができる。例えば、第２ネットワーク装置は、端末１と端末２を異なるスケジューリング期間にスケジューリングする。具体的には、第２ネットワーク装置は、端末１を第１スケジューリング期間でスケジューリングし、端末２を第２スケジューリング期間でスケジューリングする。第１スケジューリング期間は第２スケジューリング期間とは異なる。具体的には、第２ネットワーク装置は、同じＣ−ＲＮＴＩを使用する端末１と端末２のスケジューリング期間を、異なるスケジューリング期間を使用して、交互に配置する。端末１および端末２は、異なる時間にＣＣ２上のリソースを使用することができる。この実施形態では、従来技術と比較して、端末１または端末２のＣ−ＲＮＴＩを変更する必要がないので、サービス中断の問題が解決される。また、リソースを適切に使用することができる。
【００６４】
他の実施形態では、第２ネットワーク装置は、第１リソース領域を用いて第１端末にデータを送信し、第２リソース領域を用いて第２端末にデータを送信する。第１リソース領域は第２リソース領域とは異なる。具体的には、第２ネットワーク装置は、ＣＣ２から異なるリソース領域を選択し、端末１と端末２が異なるリソース領域を使用するようにする。このようにして、端末１と端末２との間の通信中に、リソース競合が回避される。従来技術と比較して、端末１または端末２のＣ−ＲＮＴＩを変更する必要がないので、サービス中断の問題が解決される。また、リソースを適切に使用することができる。ここで、リソース領域は少なくとも１つの物理リソースブロックまたは物理リソースブロックペアを含み、第１リソース領域および第２リソース領域は異なる物理リソースブロックまたは物理リソースブロックペアを含む。
【００６５】
さらに、例えば、同じスケジューリング期間において、第２のネットワーク装置は、周波数領域に基づいて、時間領域に基づいて、または周波数領域および時間領域に基づいて、ＣＣ２に対応するリソースを複数のリソース領域に分割してもよい。実施形態では、第２ネットワーク装置が、ＣＣ２に対応するリソースを周波数領域に基づいて複数のリソース領域に分割する場合、複数のリソース領域は第１周波数帯域に対応する第１リソース領域を含み、第１リソース領域は端末１に割り当てられる。実際には３つ以上の端末がＣＣ２上で同一のＣ−ＲＮＴＩを使用することができる。したがって、リソースが周波数領域で分割されるリソース領域の大きさは、端末の数量に基づいて決定することができる。具体的には、Ｎ個の端末がＣＣ２上で同じＣ−ＲＮＴＩを使用する場合、そのリソースはＮ個のリソース領域に分割される。
【００６６】
Ｃ−ＲＮＴＩは、制御チャネルを、例えばＰＤＣＣＨをスクランブルするために使用され、端末は、Ｃ−ＲＮＴＩに基づいて、ＰＤＣＣＨ上の制御情報を端末に送信することを決定する。端末１と端末２が同じＣ−ＲＮＴＩを使用する場合、制御チャネルの混乱が生じる可能性がある。したがって、好ましい実施形態では、第２ネットワーク装置は、第１ネットワーク装置に、端末１のクロスキャリアスケジューリングを開始するように指示する。具体的には、ＣＣ２上の端末１の制御情報は、ＣＣ１上の制御チャネルで送信される。例えば、ＰＤＣＣＨ上で送られる制御情報は、ＰＤＳＣＨ上のリソースの位置を示すために使用される。ＣＣ２上のＰＤＳＣＨまたはＰＵＳＣＨのリソースの位置は、ＣＣ１上のＰＤＣＣＨで送られる制御情報を用いて端末１に示され、ＣＣ２上のＰＤＳＣＨまたはＰＵＳＣＨのリソースの位置は、ＣＣ２上のＰＤＣＣＨで送られる制御情報を用いて端末２に示される。このようにして、端末１と端末２は、キャリアを用いて制御情報を区別することができる。
【００６７】
図５を参照し、図５はＬＴＥシステムにおけるクロスキャリアスケジューリングの基本原理を示す。ＰＣＣ上のＰＤＳＣＨ上のリソースの位置、ＰＣＣ上のＰＵＳＣＨ上のリソースの位置、ＳＣＣ上のＰＤＳＣＨ上のリソースの位置およびＳＣＣ上のＰＵＳＣＨ上のリソースの位置は、ＰＣＣ上のＰＤＣＣＨを用いて示される。
【００６８】
したがって、本発明のこの実施形態の方法はさらに、第２ネットワーク装置が、第１ネットワーク装置に第１通知メッセージを送信することとを含み、第１通知メッセージは、端末１のクロスキャリアスケジューリングを開始するように第１ネットワーク装置に指示するために使用される。クロスキャリアスケジューリングは、第１ネットワーク装置が、ＣＣ２上の端末１の制御情報を、ＣＣ１上の制御チャネル上の端末１に送信することを含む。また、ここで、端末１のクロスキャリアスケジューリングを開始することは、第１ネットワーク装置が、端末１に関するクロスキャリアスケジューリングを実施することができることを意味し、これはイネーブルの意味である。
【００６９】
ＣＣ２上の端末１の制御情報は、ＣＣ２上の端末１のデータチャネルの位置を示す情報、例えば、ＣＣ２上の端末１のＰＤＳＣＨ上のリソースの位置を示す情報を含む。
【００７０】
任意的に、ステップ４０２において、第２ネットワーク装置が異なるスケジューリング期間を使用してＣＣ２上の端末１および端末２の通信リソースを交互に配置する場合、本発明のこの実施形態の方法は、第２ネットワーク装置が、第１ネットワーク装置に、第１指示メッセージを送信することを含み、第１指示メッセージは、ＣＣ１上の制御チャネルで端末１にＣＣ２上の端末１の制御情報を送信するように、第１ネットワーク装置に指示するために使用される。具体的には、第２ネットワーク装置は、第１ネットワーク装置に対して、ＣＣ１上の制御チャネルを使用して、第１スケジューリング期間にＣＣ２上で送信を行うように端末１にスケジュールするよう指示する。第１の指示メッセージは、リアルタイムで送信することができる：第２ネットワーク装置が第１スケジューリング期間を端末１に割り当てるとき、第１指示メッセージの送信がトリガされる。送信には、端末１によるダウンリンクデータ受信およびアップリンクデータ送信が含まれる。例えば、具体的なデータ送信手順は次の通りであり得る：
【００７１】
第２装置は、第１ネットワーク装置から受信したデータを、ＣＣ２上のデータチャネルを使用して端末１に送信する；または第２装置は、ＣＣ２上のデータチャネルを使用して、端末１によって送信されたデータを受信する。ＣＣ２上のデータ送信および端末１によって実行されるデータ送信の両方は、第１スケジューリング期間に生じる。
【００７２】
ステップ４０２において、第２ネットワーク装置が異なるリソース領域を使用してＣＣ２上の端末１および端末２の通信リソースを交互に配置する場合、本発明のこの実施形態の方法は、第２ネットワーク装置が、第１ネットワーク装置に、第２指示メッセージを送信することを含み、第２指示メッセージは、ＣＣ１上の制御チャネルで端末１にＣＣ２上の端末１の制御情報を送信するように、第１ネットワーク装置に指示するために使用され、第１リソース領域を示す情報を含む。実施形態では、第２ネットワーク装置が、ＣＣ２に対応するリソースを周波数領域に基づいて複数のリソース領域に分割する場合、複数のリソース領域は第１周波数帯域に対応する第１リソース領域を含むとき、第１リソース領域を示す情報は第１周波数帯域を示す情報であってもよい。
【００７３】
具体的には、第２ネットワーク装置は、第１ネットワーク装置に対して、ＣＣ１上の制御チャネルを使用して、ＣＣ２上の第１リソース領域で送信を行うように端末１にスケジュールするよう要求する。送信には、端末１によるダウンリンクデータ受信およびアップリンクデータ送信が含まれる。例えば、具体的なデータ送信手順は次の通りであり得る：
【００７４】
第２ネットワーク装置は、第１装置から受信したデータを、ＣＣ２上のデータチャネルを使用して端末１に送信する；または第２装置は、ＣＣ２上のデータチャネルを使用して、端末１によって送信されたデータを受信する。端末１について、ＣＣ２上のデータチャネルは第１リソース領域に配置される。
【００７５】
第１ネットワーク装置は第１指示メッセージまたは第２指示メッセージを受信する。
【００７６】
この方法では、第１ネットワーク装置は、端末１がＣＣ２上でスケジュールされ得る期間を知り、または実際に使用されているリソース領域を知り、制御情報を端末１に送信し、端末１は、対応するスケジューリング期間または対応するリソース領域においてＣＣ２上でデータ伝送を実施する。
【００７７】
一実装形態では、第１通知メッセージを使用して、第１ネットワーク装置に、ＣＣ２上で端末１および端末２によって使用される同じＣ−ＲＮＴＩ、またはＣＣ２上で端末１および端末２の間のＣ−ＲＮＴＩ競合を通知することができる。確かに、第２ネットワーク装置は、第２通知メッセージを第１ネットワーク装置に送信して、前述の機能を実施することもできる。確かに、第２ネットワーク装置は、第１通知メッセージまたは第２通知メッセージを使用して、第１のネットワーク装置に、端末１および端末２によってＣＣ２上で使用される通信リソースを交互に配置する具体的な方法を提供することができる。利点は次の通りである：第１ネットワーク装置はできるだけ早く競合の解決を通知され、第１ネットワーク装置がＣＣ１上の後続のスケジューリング構成を調整することは有利である。
【００７８】
本発明のこの実施形態で提供される技術的解決策では、ＰＣＣとしてのＣＣ１が端末のためのＳＣＣとしてＣＣ２に集約されるとき、その端末に対応するＣ−ＲＮＴＩが既にＣＣ２上で占有されている場合、Ｃ−ＲＮＴＩは、その端末とＳＣＣ上の他の端末とにより多重化され、その端末とＣＣ２上の他の端末との通信リソースは交互に配置される。従来技術とは異なり、本技術的解決策では、Ｃ−ＲＮＴＩは端末のために変更される必要がなく、それによりサービスの中断によるユーザ体験の悪化を回避する。
【００７９】
本発明の実施形態で提供される解決策を、主に、様々なネットワーク装置間の相互作用と、ネットワーク装置と端末との間の相互作用の観点から説明した。言うまでもなく、前述の機能を実施するために、ネットワーク装置、端末などは、機能を実行するための対応するハードウェア構造および／またはソフトウェアモジュールを含む。本技術分野の当業者には言うまでもなく、本明細書に開示した実施形態で説明したユニット及びアルゴリズムステップの例と組み合わせて、本発明は、ハードウェア形式や、ハードウェアとコンピュータソフトウェアとの組み合わせの形式により実施できる。機能がハードウェアで実行されるか、ハードウェアを駆動するコンピュータソフトウェアで実行されるかは、具体的なアプリケーションと、技術的解決策のデザイン制約条件とに依存する。本技術分野の当業者は、異なる方法を用いて、具体的な各アプリケーションの説明した機能を実施するかも知れないが、その実施が本発明の範囲を超えていると考えてはならない。
【００８０】
図６は、前述の実施形態のネットワーク装置を示す概略構造図である。
【００８１】
ネットワーク装置は、送受信部６０１と、コントローラ／プロセッサ６０２と、メモリ６０３と、通信部６０４とを含む。送受信部６０１は、ネットワーク装置と端末との間の情報の送受信をサポートし、端末と他の端末との間の無線通信をサポートする。コントローラ／プロセッサ６０２は、他のネットワーク装置や端末との通信に用いられる各種機能を実行する。アップリンクでは、端末からのアップリンク信号は、アンテナを用いて受信され、受信部６０１によって調整され、さらにコントローラ／プロセッサ６０２によって処理され、端末によって送信されたサービスデータおよびシグナリング情報を復元する。ダウンリンクでは、サービスデータ及びシグナリングメッセージは、コントローラ／プロセッサ６０２によって処理され、送信部６０１によって調整されてダウンリンク信号を生成し、ダウンリンク信号はアンテナを使用して端末に送信される。コントローラ／プロセッサ６０２はさらに、図４に対応する方法の実施形態の第１ネットワーク装置または第２ネットワーク装置の処理プロセス、および／または本出願に記載の技術のために使用される別のプロセスを実行する。メモリ６０３は、ネットワーク装置のプログラムコードおよびデータを格納するように構成されている。インターフェース部６０４は、ネットワーク装置と他のネットワーク装置との間の通信をサポートするように構成されており、例えば、Ｘ２インターフェースやＳ１インターフェースを用いて通信を実施することができる。
【００８２】
言うまでもなく、図６は、単にネットワーク装置の単純化された設計を示している。実際のアプリケーションでは、ネットワーク装置は、任意の数の送信部、受信部、プロセッサ、コントローラ、メモリ、インターフェースユニットなどを含むことができ、本発明を実施することができるネットワーク装置は、すべて本発明の保護範囲内にある。
【００８３】
図７は、本発明の一実施形態で提供されるネットワーク装置７００を示す。ネットワーク装置７００は、処理ユニット７１０およびインターフェースユニット７２０を含むことができる。処理ユニット７１０は、図６の第１のネットワーク装置または第２のネットワーク装置のコントローラ／プロセッサ６０２の機能を実装することができ、インターフェース部７２０は、図６のネットワーク装置のインターフェース部６０４の機能を実現することができる。
【００８４】
当業者には言うまでもなく、本発明の実施形態に列挙された様々な例示的な論理ブロック（ｉｌｌｕｓｔｒａｔｉｖｅ  ｌｏｇｉｃａｌ  ｂｌｏｃｋ）およびステップ（ｓｔｅｐ）は、電子的ハードウェア、コンピュータソフトウェア、またはこれらの組み合わせにより実施することができる。ハードウェアとソフトウェアとの間の互換性（ｉｎｔｅｒｃｈａｎｇｅａｂｉｌｉｔｙ）を明確に示すために、前述の様々な例示的な構成要素（ｉｌｌｕｓｔｒａｔｉｖｅ  ｃｏｍｐｏｎｅｎｔｓ）の機能およびステップを一般的に説明した。機能がハードウェアまたはソフトウェアを使用して実装するかどうかは、具体的なアプリケーションおよびシステム全体の設計要件に依存する。具体的な用途ごとに、当業者は、様々な方法を使用して機能を実施することができる。しかしながら、この実装形態は、本発明の実施形態の保護範囲を超えていると理解されるべきではない。
【００８５】
本発明の実施形態で説明された様々な例示的な論理ブロック、モジュール、および回路は、汎用処理ユニット、デジタル信号処理ユニット、特定用途集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウェア構成要素、またはそれらの任意の組合せの設計を使用して、説明した機能を実施または作動することができる。汎用処理ユニットは、マイクロ処理ユニットであってもよい。任意的に、汎用処理ユニットは、任意の従来の処理ユニット、コントローラ、マイクロコントローラ、または状態機械であってもよい。処理ユニットは、デジタル信号処理ユニットおよびマイクロ処理ユニットなどの計算装置の組み合わせ、複数のマイクロ処理ユニット、デジタル信号処理ユニットコアを有する１つまたは複数のマイクロ処理ユニット、または任意の他の同様の構成により実施することもできる。
【００８６】
本発明の実施形態に記載された方法またはアルゴリズムのステップは、ハードウェア、処理ユニットによって実行されるソフトウェアモジュール、またはそれらの組み合わせに直接組み込まれてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、またはその他任意の形式の記憶媒体に格納することができる。例えば、記憶媒体は処理ユニットに接続され、処理ユニットが記憶媒体から情報を読み取り、記憶媒体に情報を書き込むことができるようにされてもよい。任意的に、記憶媒体はさらに処理ユニットと一体化されてもよい。処理ユニットおよび記憶媒体は、ＡＳＩＣ内に構成されてもよく、ＡＳＩＣは、ユーザ端末内に構成されてもよい。任意的に、処理ユニットおよび記憶媒体は、ユーザ端末の異なる構成要素内に構成されてもよい。
【００８７】
一以上の設計例において、本発明の実施形態で説明した機能は、ハードウェア、ソフトウェア、ファームウェアまたはこれらの任意の組み合わせを使用して実施することができる。本発明がソフトウェアによって実施される場合、これらの機能は、コンピュータ可読媒体に格納されてもよく、または１つまたは複数の命令またはコードの形式でコンピュータ可読媒体に送信されてもよい。コンピュータ可読媒体は、コンピュータ記憶媒体であるか、又はコンピュータプログラムをある場所から別の場所に移動できるようにする通信媒体である。記憶媒体は、任意の汎用または特殊用途コンピュータによりアクセスされ得る利用可能媒体であってもよい。例えば、そのようなコンピュータ可読媒体は、ＲＡＭ、ＲＯＭ、ＥＥＰＲＯＭ、ＣＤ−ＲＯＭ、または他の光ディスク記憶装置、ディスク記憶装置または他の磁気記憶装置、またはプログラムコードを保持または格納するために使用される他の任意の媒体を含むが、これらに限定されない。プログラムコードは、命令またはデータ構造の形態であるか、あるいは汎用または特殊用途コンピュータまたは汎用または特殊用途処理ユニットによって読み取られることができる形式のものである。さらに、任意の接続は、コンピュータ可読媒体として適切に画定することができる。例えば、同軸ケーブル、光ファイバコンピュータ、ツイストペア、デジタル加入者回線（ＤＳＬ）、または赤外線、無線またはマイクロ波などの無線方式を使用して、ウェブサイト、サーバ、または別のリモートリソースからソフトウェアを送信する場合、ソフトウェアは画定されたコンピュータ可読媒体に含まれる。ディスク（ｄｉｓｋ）およびディスク（ｄｉｓｃ）には、圧縮ディスク、レーザーディスク、光ディスク、ＤＶＤ、フロッピーディスク（登録商標）、およびブルーレイディスクが含まれる。ディスクは一般的には磁気的手段によってデータをコピーし、ディスクは一般的にレーザ手段によって光学的にデータをコピーする。また、上記の組み合わせは、コンピュータ可読媒体に含まれてもよい。
【００８８】
本発明における本明細書の前述の説明によれば、当技術分野の技術は、本発明の内容を使用または実施することができる。開示された内容に基づくいかなる変更も当業者には明らかであると考えられる。本発明に記載の基本原理は、本発明の本質及び範囲から逸脱することなく、他の変形例に適用することができる。したがって、本発明に開示された内容は、記載された実施形態および設計に限定されるものではなく、本発明の原理および開示された新規な特徴と一致する最大限の範囲に拡張され得る。
【国際調査報告】
2019522417.tif 000012
2019522417.tif 000013
2019522417.tif 000014
2019522417.tif 000015